(57)【特許請求の範囲】
【請求項１】
第１の映像音声機器と第２の映像音声機器と第３の映像音声機器との間の信号の入出力を切り換える入出力切換装置において、
第１の映像音声機器から入力された映像信号または第２の映像音声機器から入力された映像信号のいずれかを第３の映像音声機器に出力する第１の出力切換手段と、
第１の映像音声機器から入力された音声信号または第２の映像音声機器から入力された音声信号のいずれかを第３の映像音声機器に出力する第２の出力切換手段と、
第２の映像音声機器から入力された映像信号および音声信号、または第３の映像音声機器から入力された映像信号および音声信号のいずれかを第１の映像音声機器に出力する第３の出力切換手段と、
第１の出力切換手段に電源を供給する第１の電源手段と、
第２の出力切換手段に電源を供給する第２の電源手段と、
第３の出力切換手段に電源を供給する第３の電源手段と、
前記第３の映像音声機器からの入力信号のスクランブルが解除されていることを示す制御信号に従い、第１ないし第３の電源手段のＯＮ／ＯＦＦを制御することにより第１ないし第３の出力切換手段に電源を供給するか否かを個別に制御するとともに、第１ないし第３の出力切換手段の動作を制御する制御手段と
を備え、
前記第１の出力切換手段は、前記制御信号に従って前記第１の電源手段から電源が供給されているときに動作し、
前記第２の出力切換手段は、前記制御信号に従って前記第２の電源手段から電源が供給されているときに動作し、
前記第３の出力切換手段は、前記制御信号に従って前記第３の電源手段から電源が供給されているときに動作する
ことを特徴とする入出力切換装置。
【請求項２】
第１の映像音声機器は、受信した映像信号および音声信号を入出力切換装置に出力し、また入出力切換装置から入力された映像信号および音声信号をそれぞれ画像および音声に変換するものであり、
第２の映像音声機器は、受信した映像信号および音声信号を入出力切換装置に出力するものであり、
第３の映像音声機器は、第１または第２の映像音声機器により受信され、入力された映像信号および音声信号が変調された信号であるときに、この変調映像信号および変調音声信号を復調し、復調映像信号および復調音声信号を入出力切換装置に出力するとともに、復調情報を入出力切換装置に出力するものであり、
第１の出力切換手段は、第１の映像音声機器の受信映像信号または第２の映像音声機器の受信映像信号のいずれかを第３の映像音声機器に出力するものであり、
第２の出力切換手段は、第１の映像音声機器の受信音声信号または第２の映像音声機器の受信音声信号のいずれかを第３の映像音声機器に出力するものであり、
第３の出力切換手段は、第２の映像音声機器の受信映像信号および受信音声信号、または前記復調映像信号および前記復調音声信号のいずれかを第１の映像音声機器に出力するものであり、
前記制御手段は、第２の映像音声機器の電源のＯＮ／ＯＦＦおよび前記復調情報が入力されているか否かに従って第１ないし第３の出力切換手段に電源を供給するか否かを個別に制御するものである
ことを特徴とする請求項１記載の入出力切換装置。
【請求項３】
前記制御手段は、
第２の映像音声機器の電源がＯＦＦであり、前記復調情報が入力されていないとき、第１の電源手段をＯＮすることにより第１の出力切換手段に電源を供給し、また第２および第３の電源手段をＯＦＦすることにより第２および第３の出力切換手段に対する電源供給を停止し、また第１の映像音声機器の受信映像信号を第３の映像音声機器に出力するように第１の出力切換手段を制御し、
第２の映像音声機器の電源がＯＦＦであり、前記復調情報が入力されているとき、第１ないし第３の電源手段をＯＮすることにより第１ないし第３の出力切換手段に電源を供給し、また第１の映像音声機器の受信映像信号および受信音声信号を第３の映像音声機器に出力するように第１および第２の出力切換手段を制御し、また前記復調映像信号および前記復調音声信号を第１の映像音声機器に出力するように第３の出力切換手段を制御する
ことを特徴とする請求項２記載の入出力切換装置。
【請求項４】
前記制御手段は、
第２の映像音声機器の電源がＯＦＦであり、前記復調情報が入力されていないとき、第２の電源手段をＯＮすることにより第２の出力切換手段に電源を供給し、また第１および第３の電源手段をＯＦＦすることにより第１および第３の出力切換手段に対する電源供給を停止し、また第１の映像音声機器の受信音声信号を第３の映像音声機器に出力するように第２の出力切換手段を制御し、
第２の映像音声機器の電源がＯＦＦであり、前記復調情報が入力されているとき、第１ないし第３の電源手段をＯＮすることにより第１ないし第３の出力切換手段に電源を供給し、また第１の映像音声機器の受信映像信号および受信音声信号を第３の映像音声機器に出力するように第１および第２の出力切換手段を制御し、また前記復調映像信号および前記復調音声信号を第１の映像音声機器に出力するように第３の出力切換手段を制御する
ことを特徴とする請求項２記載の入出力切換装置。
【請求項５】
前記制御手段は、
第２の映像音声機器の電源がＯＦＦであり、前記復調情報が入力されていないとき、第１および第２の電源手段をＯＮすることにより第１および第２の出力切換手段に電源を供給し、また第３の電源手段をＯＦＦすることにより第３の出力切換手段に対する電源供給を停止し、また第１の映像音声機器の受信映像信号および受信音声信号を第３の映像音声機器に出力するように第１および第２の出力切換手段を制御し、
第２の映像音声機器の電源がＯＦＦであり、前記復調情報が入力されているとき、第１ないし第３の電源手段をＯＮすることにより第１ないし第３の出力切換手段に電源を供給し、また第１の映像音声機器の受信映像信号および受信音声信号を第３の映像音声機器に出力するように第１および第２の出力切換手段を制御し、また前記復調映像信号および前記復調音声信号を第１の映像音声機器に出力するように第３の出力切換手段を制御する
ことを特徴とする請求項２記載の入出力切換装置。
【請求項６】
前記制御手段は、
第２の映像音声機器の電源がＯＮであり、前記復調情報が入力されていないとき、第１の電源手段をＯＦＦすることにより第１の出力切換手段に対する電源供給を停止し、また第２および第３の電源手段をＯＮすることにより第２および第３の出力切換手段に電源を供給し、
第２の映像音声機器の電源がＯＮであり、前記復調情報が入力されているとき、第１ないし第３の電源手段をＯＮすることにより第１ないし第３の出力切換手段に電源を供給する
ことを特徴とする請求項２記載の入出力切換装置。
【請求項７】
前記制御手段は、
第２の映像音声機器の電源がＯＮであり、前記復調情報が入力されていないとき、第２の電源手段をＯＦＦすることにより第２の出力切換手段に対する電源供給を停止し、また第１および第３の電源手段をＯＮすることにより第１および第３の出力切換手段に電源を供給し、
第２の映像音声機器の電源がＯＮであり、前記復調情報が入力されているとき、第１ないし第３の電源手段をＯＮすることにより第１ないし第３の出力切換手段に電源を供給する
ことを特徴とする請求項２記載の入出力切換装置。
【請求項８】
前記第３の映像音声機器は、入力された複数チャンネル用の音声信号が変調された信号であるときに、この変調音声信号を復調し、複数チャンネルの復調音声信号を出力するものであり、
前記第２の出力切換手段は、第１の映像音声機器の複数チャンネル用の受信音声信号、または第２の映像音声機器の複数チャンネル用の受信音声信号のいずれかを第３の映像音声機器に出力し、
前記第３の出力切換手段は、第２の映像音声機器の受信映像信号と複数チャンネル用の受信音声信号からなる受信信号、または前記復調映像信号と前記複数チャンネルの復調音声信号からなる復調信号のいずれかを第１の映像音声機器に出力する
ことを特徴とする請求項２ないし７のいずれかに記載の入出力切換装置。
【請求項９】
前記第１の映像音声機器から入力される映像信号または音声信号を検知し、信号を検知しているときに検知情報を前記制御手段に出力する検知手段をさらに備え、
前記制御手段は、第２の映像音声機器の電源のＯＮ／ＯＦＦ、前記復調情報が入力されているか否か、および前記検知情報が入力されているかに従って、第３の出力切換手段に電源を供給するか否かを個別に制御するものである
ことを特徴とする請求項２記載の入出力切換装置。
【請求項１０】
前記制御手段は、
第２の映像音声機器の電源がＯＦＦであり、前記復調情報および前記検知情報が入力されていないとき、第１ないし第３の電源手段をＯＦＦすることにより第１ないし第３の出力切換手段に対する電源供給を停止し、
第２の映像音声機器の電源がＯＦＦであり、前記復調情報が入力されてなく、前記検知情報が入力されているとき、第１の電源手段をＯＮすることにより第１の出力切換手段に電源を供給し、また第２および第３の電源手段をＯＦＦすることにより第２および第３の出力切換手段に対する電源供給を停止し、また第１の映像音声機器の受信映像信号を第３の映像音声機器に出力するように第１の出力切換手段を制御し、
第２の映像音声機器の電源がＯＦＦであり、前記復調情報が入力されているとき、第１ないし第３の電源手段をＯＮすることにより第１ないし第３の出力切換手段に電源を供給し、また第１の映像音声機器の受信映像信号および受信音声信号を第３の映像音声機器に出力するように第１および第２の出力切換手段を制御し、また前記復調映像信号および前記復調音声信号を第１の映像音声機器に出力するように第３の出力切換手段を制御する
ことを特徴とする請求項９記載の入出力切換装置。
【請求項１１】
前記制御手段は、
第２の映像音声機器の電源がＯＦＦであり、前記復調情報および前記検知情報が入力されていないとき、第１ないし第３の電源手段ＯＦＦさせることにより第１ないし第３の出力切換手段に対する電源供給を停止し、
第２の映像音声機器の電源がＯＦＦであり、前記復調情報が入力されてなく、前記検知情報が入力されているとき、第２の電源手段をＯＮすることにより第２の出力切換手段に電源を供給し、また第１および第３の電源手段をＯＦＦすることにより第１および第３の出力切換手段に対する電源供給を停止し、また第１の映像音声機器の受信音声信号を第３の映像音声機器に出力するように第２の出力切換手段を制御し、
第２の映像音声機器の電源がＯＦＦであり、前記復調情報が入力されているとき、第１ないし第３の電源手段をＯＮすることにより第１ないし第３の出力切換手段に電源を供給し、また第１の映像音声機器の受信映像信号および受信音声信号を第３の映像音声機器に出力するように第１および第２の出力切換手段を制御し、また前記復調映像信号および前記復調音声信号を第１の映像音声機器に出力するように第３の出力切換手段を制御する
ことを特徴とする請求項９記載の入出力切換装置。
【発明の詳細な説明】
【０００１】
【発明の属する技術分野】
この発明は、テレビジョン受像機（ＴＶ）、映像信号記録装置（例えばＶＴＲ）、デコーダ、等の映像音声機器により構成される映像音声システムにおける映像音声機器間の映像信号および音声信号の入出力を切り換える入出力切換装置に関する。
【０００２】
【従来の技術】
図１３は従来の入出力切換装置の構成図である。図１３の入出力切換装置１０１は、ＶＴＲ１０２内に設けられており、ＴＶ２とＶＴＲ１０２とデコーダ４により構成される映像音声システムにおける映像音声機器間の映像信号および音声信号の入出力を切り換えるものである。ＴＶ２は、アンテナ受信信号９を入力とするＴＶチューナ６を備えている。ＶＴＲ１０２は、入出力切換装置１０１と、テレビジョン放送のＲＦ信号８を入力とするＶＴＲチューナ５と、信号処理回路１５と、ＲＦコンバータ７とを備えている。入出力切換装置１０１は、制御回路１００と、ＶＴＲ１０２の主電源とは別の電源回路１０３と、スイッチＳＷ１，ＳＷ２，ＳＷ３，ＳＷ４とを備えている。
【０００３】
デコーダ４は、有料放送等により配信される課金を目的としたスクランブル信号をデコードするものであり、デコーダ入力映像信号ＤＥＣｅ（Ｉ）およびデコーダ入力音声信号ＤＥＣｅ（Ａ）がスクランブル信号であるときに、入力信号のスクランブルを解除することにより入力信号をデコードし、デコード映像信号ＤＥＣ（Ｉ）およびデコード音声信号ＤＥＣ（Ａ）を出力するとともに、デコード情報ＤＥＣ（Ｃ）をＬｏｗレベル（以下、Ｌと表記する）からＨｉｇｈレベル（以下、Ｈと表記する）に変化させる。
【０００４】
入出力切換装置１０１は、ＶＴＲチューナ５により受信された映像信号ＶＴＲｔ（Ｉ）および音声信号ＶＴＲｔ（Ａ）、またはＴＶチューナ６により受信された映像信号ＴＶｔ（Ｉ）および音声信号ＴＶｔ（Ａ）のいずれかを、スイッチＳＷ２およびＳＷ４によりデコーダ４に出力する。また、入出力切換装置１０１は、ＶＴＲ１０２からの映像信号ＶＴＲ（Ｉ）および音声信号ＶＴＲ（Ａ）、またはデコーダ４によるデコード映像信号ＤＥＣ（Ｉ）およびデコード音声信号ＤＥＣ（Ａ）のいずれかを、ＴＶ入力映像信号ＴＶｅ（Ｉ）およびＴＶ入力音声信号ＴＶｅ（Ａ）としてスイッチＳＷ１およびＳＷ３によりＴＶ２に出力する。スイッチＳＷ１〜ＳＷ４は、電源回路１０３から供給される電源Ｖｃｃにより動作する。スイッチＳＷ１およびＳＷ３は制御信号Ｃ＋１により制御され、スイッチＳＷ２およびＳＷ４は制御信号Ｃ＋２により制御される。制御回路１００は、ＶＴＲ１０２の主電源のＯＮ／ＯＦＦ、デコード情報ＤＥＣ（Ｃ）のＬ／Ｈ等に従ってスイッチＳＷ１〜ＳＷ４を制御する。
【０００５】
図１４は従来の入出力切換装置の動作説明図である。ＶＴＲ１０２の主電源がＯＮであるときには、例えばユーザによるチューナ設定に従って、ＶＴＲ１０２の受信信号ＶＴＲｔ（Ｉ），ＶＴＲｔ（Ａ）、またはＴＶ２の受信信号ＴＶｔ（Ｉ），ＴＶｔ（Ａ）がスイッチＳＷ２およびＳＷ４によりデコーダ４に入力される。また、デコード情報ＤＥＣ（Ｃ）がＬであれば、スイッチＳＷ１およびＳＷ３は端子ａ側に制御され、ＶＴＲ１０３の信号ＶＴＲｔ（Ｉ），ＶＴＲｔ（Ａ）がＴＶ２に出力される。また、デコード情報ＤＥＣ（Ｃ）がＨであれば、スイッチＳＷ１およびＳＷ３は端子ｂ側に制御され、デコード信号ＤＥＣ（Ｉ），ＤＥＣ（Ａ）がＴＶ２に入力される。つまり、入出力切換装置１０１は、通常はＶＴＲ１０２からの信号をＴＶ２に出力しており、ＴＶ２からスクランブル信号が入力されたときは、入出力切換装置１０１のスイッチＳＷ１，ＳＷ３からのＴＶ２に対する出力を自動的に切り換え、ＴＶ２にデコーダ４からのデコード信号を送り返すことにより、ユーザに対して有料放送等のスムーズなデコードの提供を可能としている。
【０００６】
また、ＶＴＲ１０２の主電源がＯＦＦであるときは、ＴＶチューナ６により受信されたスクランブル信号をデコードするために、スイッチＳＷ１〜ＳＷ４の電源ＶｃｃはＯＮされており、スイッチＳＷ１〜ＳＷ４は端子ｂ側に制御され、受信信号ＴＶｔ（Ｉ），ＴＶｔ（Ａ）がスイッチＳＷ２およびＳＷ４によりデコーダ４に入力される。デコード情報ＤＥＣ（Ｃ）がＨであれば、デコード信号ＤＥＣ（Ｉ），ＤＥＣ（Ａ）がＴＶ２に入力される。
【０００７】
【発明が解決しようとする課題】
しかしながら従来の入出力切換装置は、常にＴＶ２およびデコーダ４に対して信号を入出力できるように構成されているため、ＶＴＲ１０２の主電源がＯＦＦのときでも、スイッチＳＷ１〜ＳＷ４に電源を供給する必要があり、無駄な電力を消費してしまうという問題があった。
【０００８】
本発明はこのような従来の問題を解決するためになされたものであり、消費電力を低減することができる入出力切換装置を提供することを目的とするものである。
【０００９】
【課題を解決するための手段】
上記の目的を達成するために本発明の入出力切換装置は、第１の映像音声機器と第２の映像音声機器と第３の映像音声機器との間の信号の入出力を切り換える入出力切換装置において、第１の映像音声機器から入力された映像信号または第２の映像音声機器から入力された映像信号のいずれかを第３の映像音声機器に出力する第１の出力切換手段と、第１の映像音声機器から入力された音声信号または第２の映像音声機器から入力された音声信号のいずれかを第３の映像音声機器に出力する第２の出力切換手段と、第２の映像音声機器から入力された映像信号および音声信号、または第３の映像音声機器から入力された映像信号および音声信号のいずれかを第１の映像音声機器に出力する第３の出力切換手段と、第１の出力切換手段に電源を供給する第１の電源手段と、第２の出力切換手段に電源を供給する第２の電源手段と、第３の出力切換手段に電源を供給する第３の電源手段と、第３の映像音声機器からの入力信号のスクランブルが解除されていることを示す制御信号に従い、第１ないし第３の電源手段のＯＮ／ＯＦＦを制御することにより第１ないし第３の出力切換手段に電源を供給するか否かを個別に制御するとともに、第１ないし第３の出力切換手段の動作を制御する制御手段とを備え、第１の出力切換手段は、制御信号に従って第１の電源手段から電源が供給されているときに動作し、第２の出力切換手段は、制御信号に従って第２の電源手段から電源が供給されているときに動作し、第３の出力切換手段は、制御信号に従って第３の電源手段から電源が供給されているときに動作することを特徴とするものである。
【００１０】
また、請求項２記載の入出力切換装置は、第１の映像音声機器が、受信した映像信号および音声信号を入出力切換装置に出力し、また入出力切換装置から入力された映像信号および音声信号をそれぞれ画像および音声に変換するものであり、第２の映像音声機器が、受信した映像信号および音声信号を入出力切換装置に出力するものであり、第３の映像音声機器が、第１または第２の映像音声機器により受信され、入力された映像信号および音声信号が変調された信号であるときに、この変調映像信号および変調音声信号を復調し、復調映像信号および復調音声信号を入出力切換装置に出力するとともに、復調情報を入出力切換装置に出力するものであり、第１の出力切換手段が、第１の映像音声機器の受信映像信号または第２の映像音声機器の受信映像信号のいずれかを第３の映像音声機器に出力するものであり、第２の出力切換手段が、第１の映像音声機器の受信音声信号または第２の映像音声機器の受信音声信号のいずれかを第３の映像音声機器に出力するものであり、第３の出力切換手段が、第２の映像音声機器の受信映像信号および受信音声信号、または前記復調映像信号および前記復調音声信号のいずれかを第１の映像音声機器に出力するものであり、前記制御手段が、第２の映像音声機器の電源のＯＮ／ＯＦＦおよび前記復調情報が入力されているか否かに従って第１ないし第３の出力切換手段に電源を供給するか否かを個別に制御するものであることを特徴とするものである。
【００１１】
また、請求項３記載の入出力切換装置は、請求項２において、前記制御手段が、第２の映像音声機器の電源がＯＦＦであり、前記復調情報が入力されていないとき、第１の電源手段をＯＮすることにより第１の出力切換手段に電源を供給し、また第２および第３の電源手段をＯＦＦすることにより第２および第３の出力切換手段に対する電源供給を停止し、また第１の映像音声機器の受信映像信号を第３の映像音声機器に出力するように第１の出力切換手段を制御し、第２の映像音声機器の電源がＯＦＦであり、前記復調情報が入力されているとき、第１ないし第３の電源手段をＯＮすることにより第１ないし第３の出力切換手段に電源を供給し、また第１の映像音声機器の受信映像信号および受信音声信号を第３の映像音声機器に出力するように第１および第２の出力切換手段を制御し、また前記復調映像信号および前記復調音声信号を第１の映像音声機器に出力するように第３の出力切換手段を制御することを特徴とするものである。
【００１２】
また、請求項４記載の入出力切換装置は、請求項２において、前記制御手段が、第２の映像音声機器の電源がＯＦＦであり、前記復調情報が入力されていないとき、第２の電源手段をＯＮすることにより第２の出力切換手段に電源を供給し、また第１および第３の電源手段をＯＦＦすることにより第１および第３の出力切換手段に対する電源供給を停止し、また第１の映像音声機器の受信音声信号を第３の映像音声機器に出力するように第２の出力切換手段を制御し、第２の映像音声機器の電源がＯＦＦであり、前記復調情報が入力されているとき、第１ないし第３の電源手段をＯＮすることにより第１ないし第３の出力切換手段に電源を供給し、また第１の映像音声機器の受信映像信号および受信音声信号を第３の映像音声機器に出力するように第１および第２の出力切換手段を制御し、また前記復調映像信号および前記復調音声信号を第１の映像音声機器に出力するように第３の出力切換手段を制御することを特徴とするものである。
【００１３】
また、請求項５記載の入出力切換装置は、請求項２において、前記制御手段が、第２の映像音声機器の電源がＯＦＦであり、前記復調情報が入力されていないとき、第１および第２の電源手段をＯＮすることにより第１および第２の出力切換手段に電源を供給し、また第３の電源手段をＯＦＦすることにより第３の出力切換手段に対する電源供給を停止し、また第１の映像音声機器の受信映像信号および受信音声信号を第３の映像音声機器に出力するように第１および第２の出力切換手段を制御し、第２の映像音声機器の電源がＯＦＦであり、前記復調情報が入力されているとき、第１ないし第３の電源手段をＯＮすることにより第１ないし第３の出力切換手段に電源を供給し、また第１の映像音声機器の受信映像信号および受信音声信号を第３の映像音声機器に出力するように第１および第２の出力切換手段を制御し、また前記復調映像信号および前記復調音声信号を第１の映像音声機器に出力するように第３の出力切換手段を制御することを特徴とするものである。
【００１４】
また、請求項６記載の入出力切換装置は、請求項２において、前記制御手段が、第２の映像音声機器の電源がＯＮであり、前記復調情報が入力されていないとき、第１の電源手段をＯＦＦすることにより第１の出力切換手段に対する電源供給を停止し、また第２および第３の電源手段をＯＮすることにより第２および第３の出力切換手段に電源を供給し、第２の映像音声機器の電源がＯＮであり、前記復調情報が入力されているとき、第１ないし第３の電源手段をＯＮすることにより第１ないし第３の出力切換手段に電源を供給することを特徴とするものである。
【００１５】
また、請求項７記載の入出力切換装置は、請求項２において、前記制御手段が、第２の映像音声機器の電源がＯＮであり、前記復調情報が入力されていないとき、第２の電源手段をＯＦＦすることにより第２の出力切換手段に対する電源供給を停止し、また第１および第３の電源手段をＯＮすることにより第１および第３の出力切換手段に電源を供給し、第２の映像音声機器の電源がＯＮであり、前記復調情報が入力されているとき、第１ないし第３の電源手段をＯＮすることにより第１ないし第３の出力切換手段に電源を供給することを特徴とするものである。
【００１６】
また、請求項８記載の入出力切換装置は、請求項２ないし７のいずれかにおいて、前記第３の映像音声機器が、入力された複数チャンネル用の音声信号が変調された信号であるときに、この変調音声信号を復調し、複数チャンネルの復調音声信号を出力するものであり、前記第２の出力切換手段が、第１の映像音声機器の複数チャンネル用の受信音声信号、または第２の映像音声機器の複数チャンネル用の受信音声信号のいずれかを第３の映像音声機器に出力し、前記第３の出力切換手段が、第２の映像音声機器の受信映像信号と複数チャンネル用の受信音声信号からなる受信信号、または前記復調映像信号と前記複数チャンネルの復調音声信号からなる復調信号のいずれかを第１の映像音声機器に出力することを特徴とするものである。
【００１７】
また、請求項９記載の入出力切換装置は、請求項２において、前記第１の映像音声機器から入力される映像信号または音声信号を検知し、信号を検知しているときに検知情報を前記制御手段に出力する検知手段をさらに備え、前記制御手段が、第２の映像音声機器の電源のＯＮ／ＯＦＦ、前記復調情報が入力されているか否か、および前記検知情報が入力されているかに従って、第３の出力切換手段に電源を供給するか否かを個別に制御するものであることを特徴とするものである。
【００１８】
また、請求項１０記載の入出力切換装置は、請求項９において、前記制御手段が、第２の映像音声機器の電源がＯＦＦであり、前記復調情報および前記検知情報が入力されていないとき、第１ないし第３の電源手段をＯＦＦすることにより第１ないし第３の出力切換手段に対する電源供給を停止し、第２の映像音声機器の電源がＯＦＦであり、前記復調情報が入力されてなく、前記検知情報が入力されているとき、第１の電源手段をＯＮすることにより第１の出力切換手段に電源を供給し、また第２および第３の電源手段をＯＦＦすることにより第２および第３の出力切換手段に対する電源供給を停止し、また第１の映像音声機器の受信映像信号を第３の映像音声機器に出力するように第１の出力切換手段を制御し、第２の映像音声機器の電源がＯＦＦであり、前記復調情報が入力されているとき、第１ないし第３の電源手段をＯＮすることにより第１ないし第３の出力切換手段に電源を供給し、また第１の映像音声機器の受信映像信号および受信音声信号を第３の映像音声機器に出力するように第１および第２の出力切換手段を制御し、また前記復調映像信号および前記復調音声信号を第１の映像音声機器に出力するように第３の出力切換手段を制御することを特徴とするものである。
【００１９】
また、請求項１１記載の入出力切換装置は、請求項９において、前記制御手段が、第２の映像音声機器の電源がＯＦＦであり、前記復調情報および前記検知情報が入力されていないとき、第１ないし第３の電源手段ＯＦＦさせることにより第１ないし第３の出力切換手段に対する電源供給を停止し、第２の映像音声機器の電源がＯＦＦであり、前記復調情報が入力されてなく、前記検知情報が入力されているとき、第２の電源手段をＯＮすることにより第２の出力切換手段に電源を供給し、また第１および第３の電源手段をＯＦＦすることにより第１および第３の出力切換手段に対する電源供給を停止し、また第１の映像音声機器の受信音声信号を第３の映像音声機器に出力するように第２の出力切換手段を制御し、第２の映像音声機器の電源がＯＦＦであり、前記復調情報が入力されているとき、第１ないし第３の電源手段をＯＮすることにより第１ないし第３の出力切換手段に電源を供給し、また第１の映像音声機器の受信映像信号および受信音声信号を第３の映像音声機器に出力するように第１および第２の出力切換手段を制御し、また前記復調映像信号および前記復調音声信号を第１の映像音声機器に出力するように第３の出力切換手段を制御することを特徴とするものである。
【００２０】
【発明の実施の形態】
実施の形態１．
図１は本発明の実施の形態１の入出力切換装置の構成図である。図１の入出力切換装置１は、ＴＶ２（第１の映像音声機器）とＶＴＲ３（第２の映像音声機器）とデコーダ４（第３映像音声機器）により構成される映像音声システムにおける映像音声機器間の映像信号および音声信号の入出力を切り換えるものであり、ＶＴＲ３内に設けられている。なお、入出力切換装置１を、ＴＶ２またはデコーダ４に内蔵しても良い。また、いずれの映像音声機器にも内蔵せず、単体の装置としても良い。
【００２１】
ＴＶ２は、ＴＶチューナ６と、ＴＶ入力映像信号ＴＶｅ（Ｉ）の入力端子と、ＴＶ入力音声信号ＴＶｅ（Ａ）の入力端子と、ＴＶチューナ６によりテレビジョン放送のＲＦ信号９から受信された映像信号ＴＶｔ（Ｉ）の出力端子と、ＴＶチューナ６によりアンテナ受信信号９から受信された音声信号ＴＶｔ（Ａ）の出力端子と、制御情報ＣＯＮＴの入力端子と、映像信号を映像に変換する図示しないＣＲＴと、音声信号を音声に変換する図示しないスピーカとを備えている。また、ＴＶ２は、受信映像信号ＴＶｔ（Ｉ）および受信音声信号ＴＶｔ（Ａ）をＣＲＴおよびスピーカによりモニタしているときに、制御情報ＣＯＮＴがＬｏｗレベル（以下、Ｌと表記する）からＨｉｇｈレベル（以下、Ｈと表記する）に変化すると（スクランブル信号のデコードがされると、あるいはデコーダ４にスクランブル信号が入力されると）、モニタ信号を自動的に外部入力の映像信号ＴＶｅ（Ｉ）および音声信号ＴＶｅ（Ａ）に切り換える。
【００２２】
デコーダ４は、デコーダ入力映像信号ＤＥＣｅ（Ｉ）の入力端子と、デコーダ入力音声信号ＤＥＣｅ（Ａ）の入力端子と、デコード映像信号ＤＥＣ（Ｉ）（復調映像信号）の出力端子と、デコード音声信号ＤＥＣ（Ａ）（復調音声信号）の出力端子と、デコード情報ＤＥＣ（Ｃ）（復調情報）の出力端子とを備えている。このデコーダ４は、入力された映像信号ＤＥＣｅ（Ｉ）および音声信号ＤＥＣｅ（Ａ）が有料放送等のスクランブル信号であるときに、このスクランブル映像信号（変調映像信号）およびスクランブル音声信号（変調音声信号）をデコードし、デコード映像信号ＤＥＣ（Ｉ）およびデコード映像信号ＤＥＣ（Ａ）を入出力切換装置１に出力するとともに、スクランブル信号が入力されているか否かを示すデコード情報ＤＥＣ（Ｃ）を入出力切換装置１に出力する。デコード情報ＤＥＣ（Ｃ）は、ここでは、上記の入力信号がスクランブル信号でないときにＬとなり、スクランブル信号であるときにＨとなるものとする。
【００２３】
ＶＴＲ３は、入出力切換装置１と、ＶＴＲチューナ５と、信号処理回路１５と、ＲＦコンバータ７と、アンテナにより受信されたテレビジョン放送のＲＦ信号８の入力端子と、ＲＦコンバータ７によるＲＦコンバート信号が重畳されたＲＦ信号９の出力端子と、ビデオテープに対する図示しないビデオヘッドおよびサーボ機構とを備えている。
【００２４】
信号処理回路１５は、ＶＴＲ３がビデオ再生モードでないとき、ＶＴＲチューナ５によりアンテナ受信信号８から受信された映像信号ＶＴＲｔ（Ｉ）を映像信号ＶＴＲ（Ｉ）として出力し、さらにＶＴＲチューナ５によりＲＦ信号８から受信された音声信号ＶＴＲｔ（Ａ）を音声信号ＶＴＲ（Ａ）として出力する。また、ＶＴＲ３がビデオ録画モードであるとき、受信映像信号ＶＴＲｔ（Ｉ）（必要に応じてＹ／Ｃ分離処理される）および受信音声信号ＶＴＲｔ（Ａ）をビデオヘッドに送る。また、ＶＴＲ３がビデオ再生モードであるとき、ビデオヘッドからの再生映像信号を映像信号ＶＴＲ（Ｉ）として出力し、ビデオヘッドからの再生音声信号を音声信号ＶＴＲ（Ａ）として出力する。また、ＲＦコンバータ７は、予め設定された周波数帯域のＲＦ波を、映像信号ＶＴＲ（Ｉ）および音声信号ＶＴＲ（Ａ）による複合映像信号で変調し、この変調ＲＦ信号（映像信号ＶＴＲ（Ｉ）および音声信号ＶＴＲ（Ａ）のＲＦコンバート信号）をテレビジョン放送のＲＦ信号８に重畳し、ＲＦコンバート信号を含むＲＦ信号９をＴＶ２に出力する。
【００２５】
入出力切換装置１は、制御回路１０と、電源回路１１，１２，１３，１４と、スイッチＳＷ１，ＳＷ２，ＳＷ３，ＳＷ４と、ＴＶ２からの受信映像信号ＴＶｔ（Ｉ）の入力端子と、ＴＶ２からの受信音声信号ＴＶｔ（Ａ）の入力端子と、ＴＶ２に対する映像信号ＴＶｅ（Ｉ）の出力端子と、ＴＶ２に対する音声信号ＴＶｅ（Ａ）の出力端子と、デコーダ４に対する映像信号ＤＥＣｅ（Ｉ）の出力端子と、デコーダ４に対する音声信号ＤＥＣｅ（Ａ）の出力端子と、デコーダ４からのデコード映像信号ＤＥＣ（Ｉ）の入力端子と、デコーダ４からのデコード音声信号ＤＥＣ（Ａ）の入力端子と、デコーダ４からのデコード情報ＤＥＣ（Ｃ）の入力端子と、ＴＶ２に対する制御情報ＣＯＮＴの出力端子とを備えている。
【００２６】
スイッチＳＷ２（第１の出力切換手段）は、電源Ｖｃｃ２が供給されているときに動作し、受信映像信号ＶＴＲｔ（Ｉ）が入力される端子ａと、受信映像信号ＴＶｔ（Ｉ）が入力される端子ｂと、出力端子ｃと、制御信号Ｃ＋２が入力される制御端子とを有する。このスイッチＳＷ２は、制御信号Ｃ＋２に従って受信映像信号ＶＴＲｔ（Ｉ）またはＴＶｔ（Ｉ）のいずれかを映像信号ＤＥＣｅ（Ｉ）として端子ｃから出力する。また、スイッチＳＷ４（第２の出力切換手段）は、電源Ｖｃｃ４が供給されているときに動作し、受信音声信号ＶＴＲｔ（Ａ）が入力される端子ａと、受信音声信号ＴＶｔ（Ａ）が入力される端子ｂと、出力端子ｃと、制御信号Ｃ＋２が入力される制御端子とを有する。このスイッチＳＷ４は、制御信号Ｃ＋２に従って受信音声信号ＶＴＲｔ（Ａ）またはＴＶｔ（Ａ）のいずれかを音声信号ＤＥＣｅ（Ａ）として端子ｃから出力する。
【００２７】
スイッチＳＷ１（スイッチＳＷ３とともに第３の出力切換手段を構成する）は、電源Ｖｃｃ１が供給されているときに動作し、信号処理回路１５による映像信号ＶＴＲ（Ｉ）が入力される端子ａと、デコーダ４によるデコード映像信号ＤＥＣ（Ｉ）が入力される端子ｂと、出力端子ｃと、制御信号Ｃ＋１が入力される制御端子とを有する。このスイッチＳＷ１は、制御信号Ｃ＋１に従って映像信号ＶＴＲ（Ｉ）またはデコード映像信号ＤＥＣ（Ｉ）のいずれかを映像信号ＴＶｅ（Ｉ）として端子ｃから出力する。また、スイッチＳＷ３（スイッチＳＷ１とともに第３の出力切換手段を構成する）は、電源Ｖｃｃ３が供給されているときに動作し、信号処理回路１５による音声信号ＶＴＲ（Ａ）が入力される端子ａと、デコーダ４によるデコード音声信号ＤＥＣ（Ａ）が入力される端子ｂと、出力端子ｃと、制御信号Ｃ＋１が入力される制御端子とを有する。このスイッチＳＷ３は、制御信号Ｃ＋１に従って音声信号ＶＴＲ（Ａ）またはデコード音声信号ＤＥＣ（Ａ）のいずれかを音声信号ＴＶｅ（Ａ）として端子ｃから出力する。スイッチＳＷ１〜ＳＷ４は、ここでは、電源Ｖｃｃの供給が停止されることによりその動作が停止されたときに端子ｃと端子ａの間および端子ｃと端子ｂの間がともに開放となるものとするが、動作が停止されたときに端子ｃが端子ａまたは端子ｂに接続するものであっても良い。なお、スイッチＳＷには、バイポーラＩＣを用いても良く、またトランジスタで組んだ回路を用いても良い。また、複数のスイッチをまとめた専用のＩＣを用いても良い。さらに、低消費電力であるＣＭＯＳ−ＩＣを用いることにより、低消費電力のスイッチを組むことができるのは言うまでもない。
【００２８】
電源回路１２（第１の電源手段）は、スイッチＳＷ２に対する供給電源Ｖｃｃ２を生成する。また、電源回路１４（第２の電源手段）は、スイッチＳＷ４に対する供給電源Ｖｃｃ４を生成する。また、電源回路１１（電源回路１３とともに第３の電源手段を構成する）は、スイッチＳＷ１に対する供給電源Ｖｃｃ１を生成する。また、電源回路１３（電源回路１１とともに第３の電源手段を構成する）は、スイッチＳＷ３に対する供給電源Ｖｃｃ３を生成する。電源回路１１〜１４の動作は、制御回路１０により個別に制御される。つまり、図１の入出力切換装置１は、スイッチＳＷ１，ＳＷ２，ＳＷ３，ＳＷ４の供給電源Ｖｃｃ１，Ｖｃｃ２，Ｖｃｃ３，Ｖｃｃ４を制御回路１０および電源回路１１〜１４によりそれぞれ個別にＯＮ／ＯＦＦできる構成である。また、電源回路１１〜１４に対する供給電源はＶＴＲ３の主電源とは別の電源であり、電源回路１１〜１４はＶＴＲ３の主電源がＯＦＦしても動作可能である。なお、電源回路１３を省略し、電源回路１１による電源Ｖｃｃ１をスイッチＳＷ１およびＳＷ３に供給する構成としても良い。
【００２９】
制御回路１０に対する供給電源も電源回路１１〜１４と同様にＶＴＲ３の主電源とは別の電源であり、制御回路１０はＶＴＲ３の主電源がＯＦＦしても動作を停止しない。この制御回路１０は、ＶＴＲ３の主電源のＯＮ／ＯＦＦおよびデコード情報ＤＥＣ（Ｃ）に従って電源回路１１〜１４によりスイッチＳＷ１〜ＳＷ４に電源を供給するか否かを個別に制御するとともに、ＶＴＲ３の主電源のＯＮ／ＯＦＦ、デコード情報ＤＥＣ（Ｃ）、およびチューナ設定に従って制御信号Ｃ＋１およびＣ＋２によりスイッチＳＷ１〜ＳＷ４の入出力切換動作を制御する。
【００３０】
スイッチＳＷ１およびＳＷ３に対する制御信号Ｃ＋１は、デコード情報ＤＥＣ（Ｃ）に従って生成される信号である。この制御信号Ｃ＋１は、デコード情報ＤＥＣ（Ｃ）がＬであるときは（デコーダ４に入力される映像信号ＤＥＣｅ（Ｉ）および音声信号ＤＥＣｅ（Ａ）がスクランブル信号でないときは）、映像信号ＶＴＲ（Ｉ）および音声信号ＶＴＲ（Ａ）がＴＶ２に出力されるように、スイッチＳＷ１およびＳＷ３を端子ａ側に制御する信号である。また、上記の制御信号Ｃ＋１は、デコード情報ＤＥＣ（Ｃ）がＨであるときは（映像信号ＤＥＣｅ（Ｉ）および音声信号ＤＥＣｅ（Ａ）がスクランブル信号であるときは）、デコード映像信号ＤＥＣ（Ｉ）およびデコード音声信号ＤＥＣ（Ａ）がＴＶ２に出力されるように、スイッチＳＷ１およびＳＷ３を端子ｂ側に制御する信号である。
【００３１】
スイッチＳＷ２およびＳＷ４に対する制御信号Ｃ＋２は、ＶＴＲ３の主電源のＯＮ／ＯＦＦおよびチューナ設定に従って生成される信号である。また、上記のチューナ設定は、ＶＴＲ３の主電源がＯＮのときに有効な設定である。この制御信号Ｃ＋２は、ＶＴＲ３の主電源がＯＮであり、上記のチューナ設定がＶＴＲチューナ５であるときに、受信映像信号ＶＴＲｔ（Ｉ）および受信音声信号ＶＴＲｔ（Ａ）がデコーダ４に出力されるように、スイッチＳＷ２およびＳＷ４を端子ａ側に制御する信号である。また、上記の制御信号Ｃ＋２は、ＶＴＲ３の主電源がＯＮであり、上記のチューナ設定がＴＶチューナ６であるときに、受信映像信号ＴＶｔ（Ｉ）および受信音声信号ＴＶｔ（Ａ）がデコーダ４に出力されるように、スイッチＳＷ２およびＳＷ４を端子ｂ側に制御する信号である。さらに、上記の制御信号Ｃ＋２は、ＶＴＲ３の主電源がＯＦＦであるときには、ＶＴＲチューナ５は動作が停止されるため、スイッチＳＷ２およびＳＷ４を端子ｂ側に制御する信号である。
【００３２】
また、制御回路１０は、デコード情報ＤＥＣ（Ｃ）等に従って、制御情報ＣＯＮＴを生成する。制御情報ＣＯＮＴは、デコード情報ＤＥＣ（Ｃ）がＬであるときにＬとなり、デコード情報ＤＥＣ（Ｃ）がＨであるときにＨとなるものとする。なお、制御回路１０には、マイクロコンピュータを用いても良く、また単純なロジックを組んだものを用いても良い。
【００３３】
図２は本発明の実施の形態１の入出力切換装置の動作説明図であり、ＶＴＲ３の主電源のＯＮ／ＯＦＦおよびデコード情報ＤＥＣ（Ｃ）のＬ／Ｈによる各部の動作を示すものである。図２において、デコード情報ＤＥＣ（Ｃ）は、デコーダ４に入力される映像信号ＤＥＣｅ（Ｉ）および音声信号ＤＥＣｅ（Ａ）がスクランブル信号でないときにＬとなり、また映像信号ＤＥＣｅ（Ｉ）および音声信号ＤＥＣｅ（Ａ）がスクランブル信号であり、デコーダ４が入力されたスクランブル信号をデコード（デコーダ４が入力信号のスクランブルを解除）しているときにＨとなる。
【００３４】
まず、ＶＴＲ３の主電源がＯＮであるときには、制御回路１０は、電源回路１１〜１４を全て動作させる。従って、電源Ｖｃｃ１〜Ｖｃｃ４は全てＯＮとなり、スイッチＳＷ１〜ＳＷ４は全て動作している。また、制御回路１０は、チューナ設定（どのチューナを使用するかを指定する設定）に従って制御信号Ｃ＋２によりスイッチＳＷ２およびＳＷ４を端子ａ側または端子ｂ側に制御する。つまり、チューナ設定がＶＴＲチューナ５であれば、スイッチＳＷ２およびＳＷ４を端子ａ側に制御し、またチューナ設定がＴＶチューナ６であれば、スイッチＳＷ２およびＳＷ４を端子ｂ側に制御する。以下の説明では、チューナ設定はＴＶチューナ６となっているものとし、従ってスイッチＳＷ２およびＳＷ４は端子ｂ側に制御されている。これにより、デコーダ４には、受信映像信号ＴＶｔ（Ｉ）が映像信号ＤＥＣｅ（Ｉ）として入力され、また受信音声信号ＴＶｔ（Ａ）が音声信号ＤＥＣｅ（Ａ）としてデコーダ４に入力される。
【００３５】
ＴＶ２の受信映像信号ＴＶｔ（Ｉ）および受信音声信号ＴＶｔ（Ａ）がスクランブル信号でなければ、デコーダ４から出力されるデコード情報ＤＥＣ（Ｃ）はＬとなり、制御回路１０は、制御信号Ｃ＋１によりスイッチＳＷ１およびＳＷ３を端子ａ側に制御する。これにより、ＴＶ２には、ＶＴＲ３の映像信号ＶＴＲ（Ｉ）が映像信号ＴＶｅ（Ｉ）として入力され、またＶＴＲ３の音声信号ＶＴＲ（Ａ）が音声信号ＴＶｅ（Ａ）として入力される。
【００３６】
次に、ＶＴＲ３の主電源がＯＮであるときに、ユーザがＴＶ２のチャンネルを変え、受信映像信号ＴＶｔ（Ｉ）および受信音声信号ＴＶｔ（Ｉ）がスクランブル信号に変化し、従ってデコーダ４に入力される映像信号ＤＥＣｅ（Ｉ）および音声信号ＤＥＣｅ（Ａ）がスクランブル信号になると、デコーダ４は、デコード情報ＤＥＣ（Ｃ）をＬからＨに変化させるとともに、上記のスクランブル信号をデコードし、デコード映像信号ＤＥＣ（Ｉ）およびデコード音声信号ＤＥＣ（Ａ）を出力する。デコード情報ＤＥＣ（Ｃ）がＨになると、制御回路１０は、制御信号Ｃ＋１を変化させることによりスイッチＳＷ１およびＳＷ３を端子ａ側から端子ｂ側に切り換える。これにより、ＴＶ２には、デコード映像信号ＤＥＣ（Ｉ）が映像信号ＴＶｅ（Ｉ）として入力され、またデコード音声信号ＤＥＣ（Ａ）が音声信号ＴＶｅ（Ａ）として入力されるようになる。
【００３７】
逆に、受信映像信号ＴＶｔ（Ｉ）および受信音声信号ＴＶｔ（Ｉ）がスクランブルのかかっていない信号に変化し、デコード情報ＤＥＣ（Ｃ）がＨからＬに変化すると、制御回路１０は、制御信号Ｃ＋１を変化させることによりスイッチＳＷ１およびＳＷ３を端子ｂ側から端子ａ側に切り換える。これにより、ＴＶ２には、映像信号ＶＴＲ（Ｉ）が映像信号ＴＶｅ（Ｉ）として入力され、また音声信号ＶＴＲ（Ａ）が音声信号ＴＶｅ（Ａ）として入力されるようになる。
【００３８】
また、ＶＴＲ３の主電源がＯＦＦであり、ＴＶ２の受信映像信号ＴＶｔ（Ｉ）および受信音声信号ＴＶｔ（Ａ）がスクランブル信号でないとき（デコーダ４から出力されるデコード情報ＤＥＣ（Ｃ）がＬであるとき）には、制御回路１０は、電源回路１２のみを動作させ、電源回路１１，１３，１４の動作を停止させる。従って、電源Ｖｃｃ２のみＯＮ、電源Ｖｃｃ１，Ｖｃｃ３，Ｖｃｃ４はＯＦＦとなり、スイッチＳＷ２のみ動作している。また、制御回路１０は、制御信号Ｃ＋２によりスイッチＳＷ２を端子ｂ側に制御する。スイッチＳＷ２は動作しており、スイッチＳＷ４は動作を停止しているので、デコーダ４には、受信映像信号ＴＶｔ（Ｉ）のみが映像信号ＤＥＣｅ（Ｉ）として入力され、音声信号ＤＥＣｅ（Ａ）は入力されない。また、スイッチＳＷ１およびＳＷ３は動作を停止しているので、ＴＶ２には映像信号ＴＶｅ（Ｉ）および音声信号ＴＶｅ（Ａ）は入力されない。
【００３９】
次に、ＶＴＲ３の主電源がＯＦＦであるときに、ユーザがＴＶ２のチャンネルを変え、受信映像信号ＴＶｔ（Ｉ）および受信音声信号ＴＶｔ（Ｉ）がスクランブル信号に変化し、従ってデコーダ４に入力される映像信号ＤＥＣｅ（Ｉ）がスクランブル信号に変化すると、デコーダ４は、デコード情報ＤＥＣ（Ｃ）をＬからＨに変化させる。デコード情報ＤＥＣ（Ｃ）がＨになると、制御回路１０は、電源回路１１，１３、１４を立ち上げることにより電源Ｖｃｃ１，Ｖｃｃ３，Ｖｃｃ４をＯＮさせる。電源Ｖｃｃ２は既にＯＮされているので、電源Ｖｃｃ１，Ｖｃｃ３、Ｖｃｃ４のＯＮにより、スイッチＳＷ１〜ＳＷ４は全て動作を開始する。また、制御回路１０は、制御信号Ｃ＋１およびＣ＋２によりスイッチＳＷ１〜ＳＷ４を端子ｂ側に制御する。スイッチＳＷ２およびＳＷ４の動作開始により、スクランブルのかかった受信映像信号ＴＶｔ（Ｉ）が映像信号ＤＥＣｅ（Ｉ）として、またスクランブルのかかった音声信号ＴＶｔ（Ａ）が音声信号ＤＥＣｅ（Ａ）として、それぞれデコーダ４に入力されるようになり、デコーダ４は、スクランブルがかかった映像信号ＤＥＣｅ（Ｉ）および音声信号ＤＥＣｅ（Ａ）をデコードし、デコード映像信号ＤＥＣ（Ｉ）およびデコード音声信号ＤＥＣ（Ａ）を出力する。また、スイッチＳＷ１およびＳＷ３は端子ｂ側に制御されるので、ＴＶ２には、デコード映像信号ＤＥＣ（Ｉ）が映像信号ＴＶｅ（Ｉ）として入力され、またデコード音声信号ＤＥＣ（Ａ）が音声信号ＴＶｅ（Ａ）として入力されるようになる。
【００４０】
逆に、受信映像信号ＴＶｔ（Ｉ）および受信音声信号ＴＶｔ（Ｉ）がスクランブルのかかっていない信号に変化し、デコード情報ＤＥＣ（Ｃ）がＨからＬに変化すると、制御回路１０は、電源回路１１，１３、１４を立ち下げることにより電源Ｖｃｃ１，Ｖｃｃ３、Ｖｃｃ４をＯＦＦする。これにより、スイッチＳＷ４が動作を停止するので、デコーダ４には受信映像信号ＴＶｔ（Ｉ）のみが映像信号ＤＥＣｅ（Ｉ）として入力される。
【００４１】
また、デコード情報ＤＥＣ（Ｃ）がＬであるときに、ＶＴＲ３の主電源がＯＮからＯＦＦに変化すると（ユーザがＶＴＲ３の主電源をＯＦＦすると）、制御回路１０は、電源回路１１，１３、１４を立ち下げることにより電源Ｖｃｃ１，Ｖｃｃ３、Ｖｃｃ４をＯＦＦする。従って、スイッチＳＷ１，ＳＷ３，ＳＷ４は動作を停止する。また、制御回路１０は、制御信号Ｃ＋２によりスイッチＳＷ２を端子ｂ側に制御する。これにより、デコーダ４には受信映像信号ＴＶｔ（Ｉ）のみが映像信号ＤＥＣｅ（Ｉ）として入力されるようになり、またＴＶ２には映像信号ＴＶｅ（Ｉ）および音声信号ＴＶｅ（Ａ）が入力されなくなる。
【００４２】
逆に、ＶＴＲ３の主電源がＯＦＦからＯＮに変化すると（ユーザがＶＴＲ３の主電源をＯＮすると）、制御回路１０は、電源回路１１，１３、１４を立ち上げることにより電源Ｖｃｃ１，Ｖｃｃ３、Ｖｃｃ４をＯＮさせ、また制御信号Ｃ＋１およびＣ＋２によりスイッチＳＷ１〜ＳＷ４を端子ｂ側に制御する。これにより、ＴＶ２には、映像信号ＶＴＲ（Ｉ）が映像信号ＴＶｅ（Ｉ）として入力され、音声信号ＶＴＲ（Ａ）が音声信号ＴＶｅ（Ａ）として入力されるようになる。
【００４３】
また、デコード情報ＤＥＣ（Ｃ）がＨであるときには、ＶＴＲ３の主電源のＯＮ／ＯＦＦに関わらず、制御回路１０は、電源Ｖｃｃ１〜Ｖｃｃ４をＯＮさせ、また制御信号Ｃ＋１およびＣ＋２によりスイッチＳＷ１〜ＳＷ４を端子ｂ側に制御する。これにより、ＴＶ２には、デコード映像信号ＤＥＣ（Ｉ）が映像信号ＴＶｅ（Ｉ）として入力され、またデコード音声信号ＤＥＣ（Ａ）が音声信号ＴＶｅ（Ａ）として入力される。
【００４４】
このように実施の形態１では、スイッチＳＷ１〜ＳＷ４にそれぞれ対応する電源回路１１〜１４を設け、制御回路１０によりスイッチＳＷ１〜ＳＷ４の電源を個別に制御できる構成とし、ＶＴＲ３の主電源がＯＦＦであり、デコード情報ＤＥＣ（Ｃ）がＬであるときに、スイッチＳＷ２の電源Ｖｃｃ２のみをＯＮさせ、スイッチＳＷ１，ＳＷ３，ＳＷ４の電源Ｖｃｃ１，Ｖｃｃ３，Ｖｃｃ４をＯＦＦさせることにより、デコーダ４がデコーダ入力映像信号ＤＥＣｅ（Ｉ）を監視できるようにしておき、映像信号ＤＥＣｅ（Ｉ）がスクランブル信号になり、デコーダ４がデコード情報ＤＥＣ（Ｃ）をＨにすると、電源Ｖｃｃ１，Ｖｃｃ３，Ｖｃｃ４をＯＮさせ、スイッチＳＷ１，ＳＷ３，ＳＷ４に電源を供給するようにしている。つまり、ＶＴＲ３の主電源がＯＦＦのときに、デコーダ入力映像信号ＤＥＣｅ（Ｉ）がスクランブル信号であるか否かに従って、不要なスイッチには電源を供給せず、電源を供給するスイッチを必要最小限に抑えているので、ＶＴＲ３の主電源がＯＦＦのときにも全てのスイッチＳＷ１〜ＳＷ４に常時電源を供給する従来の入出力切換装置よりも消費電力を抑えることができる。
【００４５】
なお、上記実施の形態１では、第１ないし第３の映像音声機器を、それぞれＴＶ２、ＶＴＲ３、デコーダ４としたが、本発明の映像音声機器はこれらに限定されるものではない。また、上記実施の形態１では、制御回路１０はＶＴＲ３のＯＮ／ＯＦＦおよびデコード情報ＤＥＣ（Ｃ）に従って電源回路１１〜１４を制御したが、これら以外の情報に従って電源回路１１〜１４を制御するようにしても良い。また、ある条件が満たされているときに、時間単位でスイッチの電源をＯＮ／ＯＦＦするようにしても良い。
【００４６】
実施の形態２．
実施の形態２の入出力切換装置は、ＶＴＲ３の主電源がＯＦＦであり、デコード情報ＤＥＣ（Ｃ）がＬであるときに、スイッチＳＷ４のみに電源を供給し、デコーダ４にＴＶ２の受信音声信号ＴＶｔ（Ａ）のみを入力するようにしたことにより、電源を供給するスイッチを必要最小限に抑えたことを特徴とするものである。実施の形態２の入出力切換装置の構成は、図１に示す上記実施の形態１の入出力切換装置と同じである。
【００４７】
図３は本発明の実施の形態２の入出力切換装置の動作説明図であり、ＶＴＲ３の主電源のＯＮ／ＯＦＦおよびデコード情報ＤＥＣ（Ｃ）のＬ／Ｈによる各部の動作を示すものである。なお、ＶＴＲ３の主電源がＯＮであるときの動作、およびＶＴＲ３の主電源がＯＦＦであり、デコード情報ＤＥＣ（Ｃ）がＨであるときの動作は、上記実施の形態１と同じである。
【００４８】
図３において、ＶＴＲ３の主電源がＯＦＦであり、ＴＶ２の受信映像信号ＴＶｔ（Ｉ）および受信音声信号ＴＶｔ（Ａ）がスクランブル信号でないとき（デコーダ４から出力されるデコード情報ＤＥＣ（Ｃ）がＬであるとき）には、制御回路１０は、電源回路１４のみを動作させ、電源回路１１〜１３の動作を停止させる。従って、電源Ｖｃｃ４のみＯＮ、電源Ｖｃｃ１〜Ｖｃｃ３はＯＦＦとなり、スイッチＳＷ４のみ動作している。また、制御回路１０は、制御信号Ｃ＋２によりスイッチＳＷ４を端子ｂ側に制御する。スイッチＳＷ２は動作を停止しており、スイッチＳＷ４は動作しているので、デコーダ４には、ＴＶ２の受信音声信号ＴＶｔ（Ａ）のみが音声信号ＤＥＣｅ（Ａ）として入力され、映像信号ＤＥＣｅ（Ｉ）は入力されない。また、スイッチＳＷ１およびＳＷ３は動作を停止しているので、ＴＶ２には映像信号ＴＶｅ（Ｉ）および音声信号ＴＶｅ（Ａ）は入力されない。
【００４９】
次に、ＶＴＲ３の主電源がＯＦＦであるときに、受信映像信号ＴＶｔ（Ｉ）および受信音声信号ＴＶｔ（Ｉ）がスクランブル信号になり、従ってデコーダ４に入力される音声信号ＤＥＣｅ（Ａ）がスクランブル信号になると、デコーダ４は、デコード情報ＤＥＣ（Ｃ）をＬからＨに変化させる。デコード情報ＤＥＣ（Ｃ）がＨになると、制御回路１０は、電源回路１１〜１３を立ち上げることにより電源Ｖｃｃ１〜Ｖｃｃ３をＯＮさせる。電源Ｖｃｃ４は既にＯＮされているので、電源Ｖｃｃ１〜Ｖｃｃ３のＯＮにより、スイッチＳＷ１〜ＳＷ４は全て動作を開始する。また、制御回路１０は、制御信号Ｃ＋１およびＣ＋２によりスイッチＳＷ１〜ＳＷ４を端子ｂ側に制御する。また制御信号Ｃ＋２によりスイッチＳＷ２およびＳＷ４を端子ｂ側に制御する。スイッチＳＷ２およびＳＷ４の動作開始により、スクランブルのかかった受信映像信号ＴＶｔ（Ｉ）が映像信号ＤＥＣｅ（Ｉ）として、またスクランブルのかかった音声信号ＴＶｔ（Ａ）が音声信号ＤＥＣｅ（Ａ）として、それぞれデコーダ４に入力されるようになり、デコーダ４は、スクランブルがかかった映像信号ＤＥＣｅ（Ｉ）および音声信号ＤＥＣｅ（Ａ）をデコードし、デコード映像信号ＤＥＣ（Ｉ）およびデコード音声信号ＤＥＣ（Ａ）を出力する。また、スイッチＳＷ１およびＳＷ３は端子ｂ側に制御されるので、ＴＶ２には、デコード映像信号ＤＥＣ（Ｉ）が映像信号ＴＶｅ（Ｉ）として入力され、またデコード音声信号ＤＥＣ（Ａ）が音声信号ＴＶｅ（Ａ）として入力されるようになる。
【００５０】
このように実施の形態２では、スイッチＳＷ１〜ＳＷ４にそれぞれ対応する電源回路１１〜１４を設け、制御回路１０によりスイッチＳＷ１〜ＳＷ４の電源を個別に制御できる構成とし、ＶＴＲ３の主電源がＯＦＦであり、デコード情報ＤＥＣ（Ｃ）がＬであるときに、スイッチＳＷ４の電源Ｖｃｃ４のみをＯＮさせ、スイッチＳＷ１〜ＳＷ３の電源Ｖｃｃ１〜Ｖｃｃ３をＯＦＦさせることにより、デコーダ４がデコーダ入力音声信号ＤＥＣｅ（Ａ）を監視できるようにしておき、音声信号ＤＥＣｅ（Ａ）がスクランブル信号になり、デコーダ４がデコード情報ＤＥＣ（Ｃ）をＨにすると、電源Ｖｃｃ１〜Ｖｃｃ３をＯＮさせ、スイッチＳＷ１〜ＳＷ３に電源を供給するようにしている。つまり、ＶＴＲ３の主電源がＯＦＦのときに、デコーダ入力音声信号ＤＥＣｅ（Ａ）がスクランブル信号であるか否かに従って、不要なスイッチには電源を供給せず、電源を供給するスイッチを必要最小限に抑えているので、ＶＴＲ３の主電源がＯＦＦのときにも全てのスイッチＳＷ１〜ＳＷ４に常時電源を供給する従来の入出力切換装置よりも消費電力を抑えることができる。
【００５１】
実施の形態３．
実施の形態３の入出力切換装置は、ＶＴＲ３の主電源がＯＦＦであり、デコード情報ＤＥＣ（Ｃ）がＬであるときに、スイッチＳＷ２およびＳＷ４のみに電源を供給するようにしたことにより、電源を供給するスイッチを必要最小限に抑えたことを特徴とするものである。実施の形態３の入出力切換装置の構成は、図１に示す上記実施の形態１の入出力切換装置と同じである。
【００５２】
図４は本発明の実施の形態３の入出力切換装置の動作説明図であり、ＶＴＲ３の主電源のＯＮ／ＯＦＦおよびデコード情報ＤＥＣ（Ｃ）のＬ／Ｈによる各部の動作を示すものである。なお、ＶＴＲ３の主電源がＯＮであるときの動作、およびＶＴＲ３の主電源がＯＦＦであり、デコード情報ＤＥＣ（Ｃ）がＨであるときの動作は、上記実施の形態１と同じである。
【００５３】
図４において、ＶＴＲ３の主電源がＯＦＦであり、ＴＶ２の受信映像信号ＴＶｔ（Ｉ）および受信音声信号ＴＶｔ（Ａ）がスクランブル信号でないとき（デコーダ４から出力されるデコード情報ＤＥＣ（Ｃ）がＬであるとき）には、制御回路１０は、電源回路１２および１４を動作させ、電源回路１１および１３の動作を停止させる。従って、電源Ｖｃｃ２およびＶｃｃ４はＯＮ、電源Ｖｃｃ１およびＶｃｃ３はＯＦＦとなり、スイッチＳＷ２およびＳＷ４のみ動作している。また、制御回路１０は、制御信号Ｃ＋２によりスイッチＳＷ２およびＳＷ４を端子ｂ側に制御する。デコーダ４には、受信映像信号ＴＶｔ（Ｉ）が映像信号ＤＥＣｅ（Ｉ）として入力され、また受信音声信号ＴＶｔ（Ａ）が音声信号ＤＥＣｅ（Ａ）として入力される。また、スイッチＳＷ１およびＳＷ３は動作を停止しているので、ＴＶ２には映像信号ＴＶｅ（Ｉ）および音声信号ＴＶｅ（Ａ）は入力されない。
【００５４】
次に、ＶＴＲ３の主電源がＯＦＦであるときに、受信映像信号ＴＶｔ（Ｉ）および受信音声信号ＴＶｔ（Ｉ）がスクランブル信号になり、従ってデコーダ４に入力される映像信号ＤＥＣｅ（Ｉ）および音声信号ＤＥＣｅ（Ａ）がスクランブル信号になると、デコーダ４は、デコード情報ＤＥＣ（Ｃ）をＬからＨに変化させるとともに、デコード映像信号ＤＥＣ（Ｉ）およびデコード音声信号ＤＥＣ（Ａ）を出力する。デコード情報ＤＥＣ（Ｃ）がＨになると、制御回路１０は、電源回路１１および１３を立ち上げることにより電源Ｖｃｃ１およびＶｃｃ３をＯＮする。電源Ｖｃｃ２およびＶｃｃ４は既にＯＮされているので、電源Ｖｃｃ１およびＶｃｃ３のＯＮにより、スイッチＳＷ１〜ＳＷ４は全て動作を開始する。また、制御回路１０は、制御信号Ｃ＋１によりスイッチＳＷ１およびＳＷ３を端子ｂ側に制御する。これにより、ＴＶ２には、デコード映像信号ＤＥＣ（Ｉ）が映像信号ＴＶｅ（Ｉ）として入力され、またデコード音声信号ＤＥＣ（Ａ）が音声信号ＴＶｅ（Ａ）として入力されるようになる。
【００５５】
このように実施の形態３では、スイッチＳＷ１〜ＳＷ４にそれぞれ対応する電源回路１１〜１４を設け、制御回路１０によりスイッチＳＷ１〜ＳＷ４の電源を個別に制御できる構成とし、ＶＴＲ３の主電源がＯＦＦであり、デコード情報ＤＥＣ（Ｃ）がＬであるときに、スイッチＳＷ２およびＳＷ４の電源Ｖｃｃ２およびＶｃｃ４をＯＮさせ、スイッチＳＷ１およびＳＷ３の電源Ｖｃｃ１およびＶｃｃ３をＯＦＦさせることにより、デコーダ４がデコーダ入力信号ＤＥＣｅ（Ｉ），ＤＥＣｅ（Ａ）を監視できるようにしておき、デコーダ入力信号ＤＥＣｅ（Ｉ），ＤＥＣｅ（Ａ）がスクランブル信号になり、デコーダ４がデコード情報ＤＥＣ（Ｃ）をＨにすると、電源Ｖｃｃ１およびＶｃｃ３をＯＮさせ、スイッチＳＷ１およびＳＷ３に電源を供給するようにしている。つまり、ＶＴＲ３の主電源がＯＦＦのときに、デコーダ入力信号ＤＥＣｅ（Ｉ），ＤＥＣｅ（Ａ）がスクランブル信号であるか否かに従って、不要なスイッチには電源を供給せず、電源を供給するスイッチを必要最小限に抑えているので、ＶＴＲ３の主電源がＯＦＦのときにも全てのスイッチＳＷ１〜ＳＷ４に常時電源を供給する従来の入出力切換装置よりも消費電力を抑えることができる。
【００５６】
実施の形態４．
実施の形態４の入出力切換装置は、上記実施の形態１において、ＶＴＲ３の主電源がＯＮであり、デコード情報ＤＥＣ（Ｃ）がＬであるときに、スイッチＳＷ４に対する電源供給を停止するようにしたことを特徴とするものである。実施の形態４の入出力切換装置の構成は、図１に示す上記実施の形態１の入出力切換装置と同じである。
【００５７】
図５は本発明の実施の形態４の入出力切換装置の動作説明図であり、ＶＴＲ３の主電源のＯＮ／ＯＦＦおよびデコード情報ＤＥＣ（Ｃ）のＬ／Ｈによる各部の動作を示すものである。なお、ＶＴＲ３の主電源がＯＦＦであるときの動作、およびＶＴＲ３の主電源がＯＮであり、デコード情報ＤＥＣ（Ｃ）がＨであるときの動作は、上記実施の形態１と同じである。また、以下の動作説明では、チューナ設定はＴＶチューナ６になっているものとする。
【００５８】
図５において、ＶＴＲ３の主電源がＯＮであり、ＴＶ２の受信映像信号ＴＶｔ（Ｉ）および受信音声信号ＴＶｔ（Ａ）がスクランブル信号でないとき（デコーダ４から出力されるデコード情報ＤＥＣ（Ｃ）がＬであるとき）には、制御回路１０は、電源回路１１〜１３を動作させ、電源回路１４の動作を停止させる。従って、電源Ｖｃｃ１〜Ｖｃｃ３はＯＮ、電源Ｖｃｃ４はＯＦＦとなり、スイッチＳＷ４のみ動作を停止している。また、制御回路１０は、制御信号Ｃ＋１によりスイッチＳＷ１およびＳＷ３を端子ａ側に制御し、制御信号Ｃ＋２によりスイッチＳＷ２を端子ｂ側に制御する。スイッチＳＷ１およびＳＷ３が端子ａ側に制御されているので、ＴＶ２には、映像信号ＶＴＲ（Ｉ）が映像信号ＴＶｅ（Ｉ）として入力され、また音声信号ＶＴＲ（Ａ）が音声信号ＴＶｅ（Ａ）として入力される。また、スイッチＳＷ２は端子ｂ側に制御されており、スイッチＳＷ４は動作を停止しているので、デコーダ４には、受信映像信号ＴＶｔ（Ｉ）のみが映像信号ＤＥＣｅ（Ｉ）として入力される。
【００５９】
次に、ＶＴＲ３の主電源がＯＮであるときに、受信映像信号ＴＶｔ（Ｉ）および受信音声信号ＴＶｔ（Ｉ）がスクランブル信号になり、従ってデコーダ４に入力される映像信号ＤＥＣｅ（Ｉ）がスクランブル信号になると、デコーダ４は、デコード情報ＤＥＣ（Ｃ）をＬからＨに変化させる。デコード情報ＤＥＣ（Ｃ）がＨになると、制御回路１０は、電源回路１４を立ち上げることにより電源Ｖｃｃ４をＯＮする。電源Ｖｃｃ１〜Ｖｃｃ３は既にＯＮされているので、電源Ｖｃｃ４のＯＮにより、スイッチＳＷ１〜ＳＷ４は全て動作を開始する。また、制御回路１０は、制御信号Ｃ＋１を変化させることによりスイッチＳＷ１およびＳＷ３を端子ｂ側に制御し、また制御信号Ｃ＋２によりスイッチＳＷ２およびＳＷ４を端子ｂ側に制御する。スイッチＳＷ２およびＳＷ４の動作開始により、スクランブルのかかった受信映像信号ＴＶｔ（Ｉ）が映像信号ＤＥＣｅ（Ｉ）として、またスクランブルのかかった音声信号ＴＶｔ（Ａ）が音声信号ＤＥＣｅ（Ａ）として、それぞれデコーダ４に入力されるようになり、デコーダ４は、スクランブルがかかった映像信号ＤＥＣｅ（Ｉ）および音声信号ＤＥＣｅ（Ａ）をデコードし、デコード映像信号ＤＥＣ（Ｉ）およびデコード音声信号ＤＥＣ（Ａ）を出力する。また、スイッチＳＷ１およびＳＷ３は端子ｂ側に制御されるので、ＴＶ２には、デコード映像信号ＤＥＣ（Ｉ）が映像信号ＴＶｅ（Ｉ）として入力され、またデコード音声信号ＤＥＣ（Ａ）が音声信号ＴＶｅ（Ａ）として入力されるようになる。
【００６０】
このように実施の形態４では、スイッチＳＷ１〜ＳＷ４にそれぞれ対応する電源回路１１〜１４を設け、制御回路１０によりスイッチＳＷ１〜ＳＷ４の電源を個別に制御できる構成とし、ＶＴＲ３の主電源がＯＦＦであり、デコード情報ＤＥＣ（Ｃ）がＬであるときに、スイッチＳＷ２の電源Ｖｃｃ２のみをＯＮさせ、スイッチＳＷ１，ＳＷ３，ＳＷ４の電源Ｖｃｃ１，Ｖｃｃ３，Ｖｃｃ４をＯＦＦさせることにより、デコーダ４がデコーダ入力映像信号ＤＥＣｅ（Ｉ）を監視できるようにしておき、映像信号ＤＥＣｅ（Ｉ）がスクランブル信号になり、デコーダ４がデコード情報ＤＥＣ（Ｃ）をＨにすると、電源Ｖｃｃ１，Ｖｃｃ３，Ｖｃｃ４をＯＮさせ、スイッチＳＷ１，ＳＷ３，ＳＷ４に電源を供給するようにしている。さらに、ＶＴＲ３の主電源がＯＮであり、デコード情報ＤＥＣ（Ｃ）がＬであるときに、スイッチＳＷ４の電源Ｖｃｃ４をＯＦＦさせ、映像信号ＤＥＣｅ（Ｉ）がスクランブル信号になり、デコーダ４がデコード情報ＤＥＣ（Ｃ）をＨにすると、電源Ｖｃｃ４をＯＮさせ、スイッチＳＷ４に電源を供給するようにしている。つまり、ＶＴＲ３の主電源がＯＦＦのときおよびＯＮのときに、デコーダ入力映像信号ＤＥＣｅ（Ｉ）がスクランブル信号であるか否かに従って、不要なスイッチには電源を供給せず、電源を供給するスイッチを必要最小限に抑えているので、全てのスイッチＳＷ１〜ＳＷ４に常時電源を供給する従来の入出力切換装置よりも消費電力を抑えることができる。
【００６１】
実施の形態５．
実施の形態５の入出力切換装置は、上記実施の形態２において、ＶＴＲ３の主電源がＯＮであり、デコード情報ＤＥＣ（Ｃ）がＬであるときに、スイッチＳＷ２に対する電源供給を停止するようにしたことを特徴とするものである。実施の形態５の入出力切換装置の構成は、図１に示す上記実施の形態１の入出力切換装置と同じである。
【００６２】
図６は本発明の実施の形態５の入出力切換装置の動作説明図であり、ＶＴＲ３の主電源のＯＮ／ＯＦＦおよびデコード情報ＤＥＣ（Ｃ）のＬ／Ｈによる各部の動作を示すものである。なお、ＶＴＲ３の主電源がＯＦＦであるときの動作、およびＶＴＲ３の主電源がＯＮであり、デコード情報ＤＥＣ（Ｃ）がＨであるときの動作は、上記実施の形態２と同じである。また、以下の動作説明では、チューナ設定はＴＶチューナ６になっているものとする。
【００６３】
図６において、ＶＴＲ３の主電源がＯＮであり、ＴＶ２の受信映像信号ＴＶｔ（Ｉ）および受信音声信号ＴＶｔ（Ａ）がスクランブル信号でないとき（デコーダ４から出力されるデコード情報ＤＥＣ（Ｃ）がＬであるとき）には、制御回路１０は、電源回路１１，１３，１４を動作させ、電源回路１２の動作を停止させる。従って、電源Ｖｃｃ１，Ｖｃｃ３，Ｖｃｃ４はＯＮ、電源Ｖｃｃ２はＯＦＦとなり、スイッチＳＷ２のみ動作を停止している。また、制御回路１０は、制御信号Ｃ＋１によりスイッチＳＷ１およびＳＷ３を端子ａ側に制御し、制御信号Ｃ＋２によりスイッチＳＷ４を端子ｂ側に制御する。スイッチＳＷ１およびＳＷ３が端子ａ側に制御されているので、ＴＶ２には、映像信号ＶＴＲ（Ｉ）が映像信号ＴＶｅ（Ｉ）として入力され、また音声信号ＶＴＲ（Ａ）が音声信号ＴＶｅ（Ａ）として入力される。また、スイッチＳＷ２は動作を停止しており、スイッチＳＷ４は端子ｂ側に制御されているので、デコーダ４には、受信音声信号ＴＶｔ（Ａ）のみが音声信号ＤＥＣｅ（Ａ）として入力される。
【００６４】
次に、ＶＴＲ３の主電源がＯＮであるときに、受信映像信号ＴＶｔ（Ｉ）および受信音声信号ＴＶｔ（Ｉ）がスクランブル信号になり、従ってデコーダ４に入力される音声信号ＤＥＣｅ（Ａ）がスクランブル信号になると、デコーダ４は、デコード情報ＤＥＣ（Ｃ）をＬからＨに変化させる。デコード情報ＤＥＣ（Ｃ）がＨになると、制御回路１０は、電源回路１２を立ち上げることにより電源Ｖｃｃ２をＯＮする。電源Ｖｃｃ１，Ｖｃｃ３，Ｖｃｃ４は既にＯＮされているので、電源Ｖｃｃ２のＯＮにより、スイッチＳＷ１〜ＳＷ４は全て動作を開始する。また、制御回路１０は、制御信号Ｃ＋１を変化させることによりスイッチＳＷ１およびＳＷ３を端子ｂ側に制御し、また制御信号Ｃ＋２によりスイッチＳＷ２およびＳＷ４を端子ｂ側に制御する。スイッチＳＷ２およびＳＷ４の動作開始により、スクランブルのかかった受信映像信号ＴＶｔ（Ｉ）が映像信号ＤＥＣｅ（Ｉ）として、またスクランブルのかかった音声信号ＴＶｔ（Ａ）が音声信号ＤＥＣｅ（Ａ）として、それぞれデコーダ４に入力されるようになり、デコーダ４は、スクランブルがかかった映像信号ＤＥＣｅ（Ｉ）および音声信号ＤＥＣｅ（Ａ）をデコードし、デコード映像信号ＤＥＣ（Ｉ）およびデコード音声信号ＤＥＣ（Ａ）を出力する。また、スイッチＳＷ１およびＳＷ３は端子ｂ側に制御されるので、ＴＶ２には、デコード映像信号ＤＥＣ（Ｉ）が映像信号ＴＶｅ（Ｉ）として入力され、またデコード音声信号ＤＥＣ（Ａ）が音声信号ＴＶｅ（Ａ）として入力されるようになる。
【００６５】
このように実施の形態５では、スイッチＳＷ１〜ＳＷ４にそれぞれ対応する電源回路１１〜１４を設け、制御回路１０によりスイッチＳＷ１〜ＳＷ４の電源を個別に制御できる構成とし、ＶＴＲ３の主電源がＯＦＦであり、デコード情報ＤＥＣ（Ｃ）がＬであるときに、スイッチＳＷ４の電源Ｖｃｃ４のみをＯＮさせ、スイッチＳＷ１〜ＳＷ３の電源Ｖｃｃ１〜Ｖｃｃ３をＯＦＦさせることにより、デコーダ４がデコーダ入力音声信号ＤＥＣｅ（Ａ）を監視できるようにしておき、音声信号ＤＥＣｅ（Ａ）がスクランブル信号になり、デコーダ４がデコード情報ＤＥＣ（Ｃ）をＨにすると、電源Ｖｃｃ１〜Ｖｃｃ３をＯＮさせ、スイッチＳＷ１〜ＳＷ３に電源を供給するようにしている。さらに、ＶＴＲ３の主電源がＯＮであり、デコード情報ＤＥＣ（Ｃ）がＬであるときに、スイッチＳＷ２の電源Ｖｃｃ２をＯＦＦさせ、音声信号ＤＥＣｅ（Ａ）がスクランブル信号になり、デコーダ４がデコード情報ＤＥＣ（Ｃ）をＨにすると、電源Ｖｃｃ２をＯＮさせ、スイッチＳＷ２に電源を供給するようにしている。つまり、ＶＴＲ３の主電源がＯＦＦのときおよびＯＮのときに、デコーダ入力音声信号ＤＥＣｅ（Ａ）がスクランブル信号であるか否かに従って、不要なスイッチには電源を供給せず、電源を供給するスイッチを必要最小限に抑えているので、全てのスイッチＳＷ１〜ＳＷ４に常時電源を供給する従来の入出力切換装置よりも消費電力を抑えることができる。
【００６６】
実施の形態６．
図７は本発明の実施の形態６の入出力切換装置の構成図である。図７の入出力切換装置２１は、ＴＶ２２（第１の映像音声機器）とＶＴＲ２３（第２の映像音声機器）とデコーダ２４（第３映像音声機器）により構成される映像音声システムにおける映像音声機器間の映像信号および音声信号の入出力を切り換えるものであり、ＶＴＲ２２内に設けられている。この入出力切換装置２１は、ＨＩＦＩなどの２チャンネルの音声信号に対応することを特徴とするものである。なお、図７において、図１と同じものには同じ符号を付してある。
【００６７】
デコーダ２４は、図１のデコーダ４において、入力されたスクランブル音声信号を２チャンネルの音声信号にデコードするようにしたものであり、第１チャンネル用のデコーダ入力音声信号ＤＥＣｅ（Ａ）−ａの入力端子と、第２チャンネル用のデコーダ入力音声信号ＤＥＣｅ（Ａ）−ｂ（上記のＤＥＣｅ（Ａ）−ａと同じ信号）の入力端子と、第１チャンネルのデコード音声信号ＤＥＣ（Ａ）−ａの出力端子と、第２チャンネルのデコード音声信号ＤＥＣ（Ａ）−ｂの出力端子とを備えている。また、ＴＶ２２は、図１のＴＶ２において、２チャンネルの外部入力音声信号に対応するようにしたものであり、第１チャンネルの音声信号ＴＶｅ（Ａ）−ａの入力端子と、第１チャンネルの音声信号ＴＶｅ（Ａ）−ｂの入力端子とを備えている。
【００６８】
ＶＴＲ２３は、図１のＶＴＲ３において、入出力切換装置１を２チャンネル音声信号対応の入出力切換装置２１としたものである。入出力切換装置２１は、図１の入出力切換装置１において、２チャンネルの音声信号に対応するために、スイッチＳＷ３を２個設けてＳＷ３−ａおよびＳＷ３−ｂとし、またスイッチＳＷ４を２個設けてＳＷ４−ａおよびＳＷ４−ｂとしたものである。
【００６９】
スイッチＳＷ４−ａおよびＳＷ４−ｂは、電源Ｖｃｃ４が供給されているときに動作する。スイッチＳＷ４−ａは、制御信号Ｃ＋２に従って受信音声信号ＶＴＲｔ（Ａ）またはＴＶｔ（Ａ）のいずれかを第１チャンネル用の音声信号ＤＥＣｅ（Ａ）−ａとして出力する。スイッチＳＷ４−ｂは、制御信号Ｃ＋２に従って受信音声信号ＶＴＲｔ（Ａ）またはＴＶｔ（Ａ）のいずれかを第２チャンネル用の音声信号ＤＥＣｅ（Ａ）−ｂとして出力する。つまり、音声信号ＤＥＣｅ（Ａ）−ａおよびＤＥＣｅ（Ａ）−ｂは、受信音声信号ＶＴＲｔ（Ａ）を分岐した信号または受信音声信号ＴＶｔ（Ａ）を分岐した信号である。また、スイッチＳＷ３−ａおよびＳＷ３−ｂは、電源Ｖｃｃ３が供給されているときに動作する。スイッチＳＷ３−ａは、制御信号Ｃ＋１に従って音声信号ＶＴＲ（Ａ）または第１チャンネルのデコード音声信号ＤＥＣ（Ａ）−ａのいずれかを第１チャンネルの音声信号ＴＶｅ（Ａ）−ａとして出力する。スイッチＳＷ３−ｂは、制御信号Ｃ＋１に従って音声信号ＶＴＲ（Ａ）または第２チャンネルのデコード音声信号ＤＥＣ（Ａ）−ｂのいずれかを第２チャンネルの音声信号ＴＶｅ（Ａ）−ａとして出力する。
【００７０】
図８は本発明の実施の形態６の入出力切換装置の動作説明図であり、ＶＴＲ２３の主電源のＯＮ／ＯＦＦおよびデコード情報ＤＥＣ（Ｃ）のＬ／Ｈによる各部の動作を示すものである。制御回路１０および電源回路１１〜１４による電源Ｖｃｃ１１〜Ｖｃｃ１４のＯＮ／ＯＦＦ動作は、上記実施の形態１と同じである。従ってスイッチＳＷ１およびＳＷ２の動作は、上記実施の形態１と同じである。また、スイッチＳＷ３−ａおよびＳＷ３−ｂの動作は上記実施の形態１のスイッチＳＷ３と同じであり、スイッチＳＷ４−ａおよびＳＷ４−ｂの動作は上記実施の形態１のスイッチＳＷ４と同じである。
【００７１】
例えば、図８において、ＶＴＲ２３の主電源がＯＦＦであり、ＴＶ２２の受信映像信号ＴＶｔ（Ｉ）および受信音声信号ＴＶｔ（Ａ）がスクランブル信号であるとき（デコード情報ＤＥＣ（Ｃ）がＨであるとき）には、制御回路１０は、電源回路１１〜１４を全て動作させる。従って、電源Ｖｃｃ１〜Ｖｃｃ４は全てＯＮとなり、スイッチＳＷ１，ＳＷ２，ＳＷ３−ａ，ＳＷ３−ｂ，ＳＷ４−ａ，ＳＷ４−ａは全て動作している。また、制御回路１０は、制御信号Ｃ＋１によりスイッチＳＷ１，ＳＷ３−ａ，ＳＷ３−ｂを端子ｂ側に制御し、制御信号Ｃ＋２によりスイッチＳＷ２，ＳＷ４−ａ，ＳＷ４−ｂを端子ｂ側に制御する。スイッチＳＷ２，ＳＷ４−ａ，ＳＷ４−ｂにより、デコーダ２４には、スクランブルのかかった受信映像信号ＴＶｔ（Ｉ）が映像信号ＤＥＣｅ（Ｉ）として入力され、またスクランブルのかかった受信音声信号ＴＶｔ（Ａ）が音声信号ＤＥＣｅ（Ａ）−ａおよびＤＥＣｅ（Ａ）−ｂとして入力される。デコーダ２４は、デコード映像信号ＤＥＣ（Ｉ）をスイッチＳＷ１に出力し、デコード音声信号ＤＥＣ（Ａ）−ａをスイッチＳＷ３−ａに出力し、またデコード音声信号ＤＥＣ（Ａ）−ｂをスイッチＳＷ３−ｂに出力する。スイッチＳＷ１，ＳＷ３−ａ，ＳＷ３−ｂは端子ｂ側に制御されているので、ＴＶ２２には、デコード映像信号ＤＥＣ（Ｉ）が映像信号ＴＶｅ（Ｉ）として入力され、第１チャンネルのデコード音声信号ＤＥＣ（Ａ）−ａが第１チャンネルの音声信号ＴＶｅ（Ａ）−ａとして入力され、また第２チャンネルのデコード音声信号ＤＥＣ（Ａ）−ｂが第２チャンネルの音声信号ＴＶｅ（Ａ）−ｂとして入力される。
【００７２】
次に、ＶＴＲ２３の主電源がＯＦＦであるときに、受信映像信号ＴＶｔ（Ｉ）および受信音声信号ＴＶｔ（Ｉ）がスクランブルのかかっていない信号になり、デコード情報ＤＥＣ（Ｃ）がＨからＬに変化すると、制御回路１０は、電源回路１１，１３、１４を立ち下げることにより電源Ｖｃｃ１，Ｖｃｃ３、Ｖｃｃ４をＯＦＦする。これにより、スイッチＳＷ１，ＳＷ３−ａ，ＳＷ３−ｂ，ＳＷ４−ａ，ＳＷ４−ｂは動作を停止する。スイッチＳＷ４−ａおよびＳＷ４−ｂの動作停止により、デコーダ２４には受信映像信号ＴＶｔ（Ｉ）のみが映像信号ＤＥＣｅ（Ｉ）として入力されるようになる。また、スイッチＳＷ１，ＳＷ３−ａ，ＳＷ３−ｂの動作停止により、ＴＶ２２には映像信号ＴＶｅ（Ｉ）および音声信号ＴＶｅ（Ａ）−ａ，ＴＶｅ（Ａ）−ｂが入力されなくなる。
【００７３】
このように実施の形態６では、デコーダ４に映像信号を出力するためのスイッチＳＷ２と、デコーダ４に２チャンネル用の音声信号を出力するためのスイッチＳＷ４−ａおよびＳＷ４−ｂと、ＴＶ２に映像信号を出力するためのスイッチＳＷ１と、ＴＶ２に２チャンネルの音声信号を出力するためのスイッチＳＷ３−ａおよびＳＷ３−ｂとにそれぞれ電源を供給する電源回路１１〜１４を設け、制御回路１０により、スイッチＳＷ１の電源Ｖｃｃ１、スイッチＳＷ２の電源Ｖｃｃ２、スイッチＳＷ３−ａおよびＳＷ３−ｂの電源Ｖｃｃ３、スイッチＳＷ４−ａおよびＳＷ４−ｂの電源Ｖｃｃ４を個別に制御できる構成とし、ＶＴＲ３の主電源がＯＦＦであり、デコード情報ＤＥＣ（Ｃ）がＬであるときに、電源Ｖｃｃ２のみをＯＮさせ、電源Ｖｃｃ１，Ｖｃｃ３，Ｖｃｃ４をＯＦＦさせるようにしたことにより、デコーダ４がデコーダ入力映像信号ＤＥＣｅ（Ｉ）を監視できるようにしておき、映像信号ＤＥＣｅ（Ｉ）がスクランブル信号になり、デコーダ４がデコード情報ＤＥＣ（Ｃ）をＨにすると、電源Ｖｃｃ１，Ｖｃｃ３，Ｖｃｃ４をＯＮさせ、スイッチＳＷ１，ＳＷ３−ａ，ＳＷ４−ａ，ＳＷ４−ｂに電源を供給するようにしている。つまり、２チャンネルの音声信号の入出力に対応できるとともに、ＶＴＲ３の主電源がＯＦＦのときに、デコーダ入力映像信号ＤＥＣｅ（Ｉ）がスクランブル信号であるか否かに従って、不要なスイッチには電源を供給せず、電源を供給するスイッチを必要最小限に抑えているので、ＶＴＲ３の主電源がＯＦＦのときにも全てのスイッチＳＷ１〜ＳＷ４に常時電源を供給する従来の入出力切換装置よりも消費電力を抑えることができる。
【００７４】
なお、上記実施の形態６は、本発明の２チャンネル音声信号対応の入出力切換装置２１を上記実施の形態１の適用したものであったが、本発明の入出力切換装置２１を上記実施の形態２ないし５に適用することも可能である。
【００７５】
実施の形態７．
図９は本発明の実施の形態７の入出力切換装置の構成図である。図９の入出力切換装置３１は、ＴＶ２（第１の映像音声機器）とＶＴＲ３２（第２の映像音声機器）とデコーダ４（第３映像音声機器）により構成される映像音声システムにおける映像音声機器間の映像信号および音声信号の入出力を切り換えるものであり、ＶＴＲ３２内に設けられている。ＶＴＲ３２は、図１のＶＴＲ３において、入出力切換装置１を入出力切換装置３１としたものである。入出力切換装置３１は、図１の入出力切換装置１において、映像信号検知回路３３を設け、制御回路１０を制御回路３０としたものである。なお、図９において、図１と同じものには同じ符号を付してある。
【００７６】
映像信号検知回路３３は、ＴＶ２から受信映像信号ＴＶｔ（Ｉ）が入力されているか否かを検知し、受信映像信号ＴＶｔ（Ｉ）が入力されているときに、検知情報ＤＥＴを制御回路３０に出力する。検知情報ＤＥＴは、ここでは、ＴＶ２から受信映像信号ＴＶｔ（Ｉ）が入力されていないときにＬとなり、受信映像信号ＴＶｔ（Ｉ）が入力されているときにＨとなるものとする。
【００７７】
制御回路３０は、図１の制御回路１０において、ＶＴＲ３２の主電源のＯＮ／ＯＦＦ、デコード情報ＤＥＣ（Ｃ）、および検知情報ＤＥＴに従って、電源回路１１〜１４によりスイッチＳＷ１〜ＳＷ４に電源を供給するか否かを個別に制御するようにしたものである。
【００７８】
図１０は本発明の実施の形態７の入出力切換装置の動作説明図であり、ＶＴＲ３２の主電源のＯＮ／ＯＦＦ、デコード情報ＤＥＣ（Ｃ）のＬ／Ｈ、および検知情報ＤＥＴのＬ／Ｈによる各部の動作を示すものである。制御回路３０が検知情報ＤＥＴに従って電源回路１１〜１４を制御するのは、ＶＴＲ３２の主電源がＯＦＦであり、デコード情報ＤＥＣ（Ｃ）がＬであるときだけである。ＶＴＲ３２の主電源がＯＮであるときの動作、およびＶＴＲ３２の主電源がＯＦＦであり、デコード情報ＤＥＣ（Ｃ）がＨであるときの動作は、上記実施の形態１と同じである。
【００７９】
図１０において、ＶＴＲ３２の主電源がＯＦＦであり、ＴＶ２から入出力切換装置３１に受信映像信号ＴＶｔ（Ｉ）および受信音声信号ＴＶｔ（Ａ）が入力されてないときには、映像信号検知回路３３により検知情報ＤＥＴはＬになる。また、デコーダ４には、スイッチＳＷ２およびＳＷ４が動作しているか否かに関わらず、映像信号ＤＥＣｅ（Ｉ）および音声信号ＤＥＣｅ（Ａ）は入力されないので、デコード情報ＤＥＣ（Ｃ）はＬになる。このとき、制御回路３０は、全ての電源回路１１〜１４の動作を停止させる。従って、電源Ｖｃｃ１〜Ｖｃｃ４は全てＯＦＦとなり、スイッチＳＷ１〜ＳＷ４は全て動作を停止している。これにより、ＴＶ２には、映像信号ＴＶｅ（Ｉ）および音声信号ＴＶｅ（Ａ）は入力されない。
【００８０】
次に、ＶＴＲ３２の主電源がＯＦＦであるときに、ユーザがＴＶ２の主電源をＯＮし、受信映像信号ＴＶｔ（Ｉ）および受信音声信号ＴＶｔ（Ｉ）が入出力切換装置３１に入力されるようになると、映像信号検知回路３３は受信映像信号ＴＶｔ（Ｉ）が入力されるようになったことを検知し、検知情報ＤＥＴをＬからＨに変化させる。検知情報ＤＥＴがＨになると、制御回路３０は、電源回路１２を立ち上げることにより電源Ｖｃｃ２をＯＮさせ、また制御信号Ｃ＋２によりスイッチＳＷ２を端子ｂ側に制御する。これにより、デコーダ４には、ＴＶ２の受信映像信号ＴＶｔ（Ｉ）が映像信号ＤＥＣｅ（Ｉ）として入力されるようになる。
【００８１】
デコーダ４に入力されるようになった上記の受信映像信号ＴＶｔ（Ｉ）がスクランブル信号でなければ、デコード情報ＤＥＣ（Ｃ）はＬのままであり、スイッチＳＷ１およびＳＷ３は動作を停止したままであるので、ＴＶ２には映像信号ＴＶｅ（Ｉ）および音声信号ＴＶｅ（Ａ）が入力されない。
【００８２】
また、デコーダ４に入力されるようになった上記の受信映像信号ＴＶｔ（Ｉ）がスクランブル信号であれば、デコーダ４はデコード情報ＤＥＣ（Ｃ）をＬからＨに変化させる。デコード情報ＤＥＣ（Ｃ）がＨになると、制御回路３０は、電源回路１１，１３、１４を立ち上げることにより電源Ｖｃｃ１，Ｖｃｃ３、Ｖｃｃ４をＯＮさせる。電源Ｖｃｃ２は既にＯＮされているので、電源Ｖｃｃ１，Ｖｃｃ３、Ｖｃｃ４のＯＮにより、スイッチＳＷ１〜ＳＷ４は全て動作を開始する。また、制御回路３０は、制御信号Ｃ＋１およびＣ＋２によりスイッチＳＷ１〜ＳＷ４を端子ｂ側に制御する。スイッチＳＷ２およびＳＷ４の動作開始により、スクランブルのかかった受信映像信号ＴＶｔ（Ｉ）が映像信号ＤＥＣｅ（Ｉ）として、またスクランブルのかかった音声信号ＴＶｔ（Ａ）が音声信号ＤＥＣｅ（Ａ）として、それぞれデコーダ４に入力されるようになり、デコーダ４は、スクランブルがかかった映像信号ＤＥＣｅ（Ｉ）および音声信号ＤＥＣｅ（Ａ）をデコードし、デコード映像信号ＤＥＣ（Ｉ）およびデコード音声信号ＤＥＣ（Ａ）を出力する。また、スイッチＳＷ１およびＳＷ３により、ＴＶ２には、デコード映像信号ＤＥＣ（Ｉ）が映像信号ＴＶｅ（Ｉ）として入力され、またデコード音声信号ＤＥＣ（Ａ）が音声信号ＴＶｅ（Ａ）として入力されるようになる。
【００８３】
このように実施の形態７では、スイッチＳＷ１〜ＳＷ４にそれぞれ対応する電源回路１１〜１４、およびＴＶ２の受信映像信号ＴＶｔ（Ｉ）を検知する映像信号検知回路３３を設け、制御回路３０によりスイッチＳＷ１〜ＳＷ４の電源を個別に制御できる構成とし、ＶＴＲ３２の主電源がＯＦＦであり、検知情報ＤＥＴがＬであるときに、スイッチＳＷ１〜ＳＷ４の電源Ｖｃｃ１〜Ｖｃｃ４を全てＯＦＦさせ、受信映像信号ＴＶｔ（Ｉ）が入力されるようになり、映像信号検知回路３３が検知情報ＤＥＴをＨにすると、電源Ｖｃｃ２のみをＯＮさせることにより、デコーダ４がデコーダ入力映像信号ＤＥＣｅ（Ｉ）を監視できるようにしている。つまり、ＶＴＲ３の主電源がＯＦＦのときに、ＴＶ受信映像信号ＴＶｔ（Ｉ）が入力されているか否か、およびデコーダ入力映像信号ＤＥＣｅ（Ｉ）がスクランブル信号であるか否かに従って、不要なスイッチには電源を供給せず、電源を供給するスイッチを必要最小限に抑えているので、ＶＴＲ３の主電源がＯＦＦのときにも全てのスイッチＳＷ１〜ＳＷ４に常時電源を供給する従来の入出力切換装置よりも消費電力を抑えることができる。
【００８４】
実施の形態 ８．
図１１は本発明の実施の形態８の入出力切換装置の構成図である。図１１の入出力切換装置４１は、ＴＶ２（第１の映像音声機器）とＶＴＲ４２（第２の映像音声機器）とデコーダ４（第３映像音声機器）により構成される映像音声システムにおける映像音声機器間の映像信号および音声信号の入出力を切り換えるものであり、ＶＴＲ４２内に設けられている。ＶＴＲ４２は、図１のＶＴＲ３において、入出力切換装置１を入出力切換装置３１としたものである。入出力切換装置４１は、図９の入出力切換装置３１において、映像信号検知回路３３を音声信号検知回路４３としたものである。なお、図１１において、図１または図９と同じものには同じ符号を付してある。
【００８５】
音声信号検知回路４３は、ＴＶ２から受信音声信号ＴＶｔ（Ａ）が入力されているか否かを検知し、受信音声信号ＴＶｔ（Ａ）が入力されているときに、検知情報ＤＥＴを制御回路３０に出力する。検知情報ＤＥＴは、ここでは、ＴＶ２から受信音声信号ＴＶｔ（Ａ）が入力されていないときにＬとなり、受信音声信号ＴＶｔ（Ａ）が入力されているときにＨとなるものとする。
【００８６】
図１２は本発明の実施の形態８の入出力切換装置の動作説明図であり、ＶＴＲ４２の主電源のＯＮ／ＯＦＦ、デコード情報ＤＥＣ（Ｃ）のＬ／Ｈ、および検知情報ＤＥＴのＬ／Ｈによる各部の動作を示すものである。制御回路３０が検知情報ＤＥＴに従って電源回路１１〜１４を制御するのは、ＶＴＲ４２の主電源がＯＦＦであり、デコード情報ＤＥＣ（Ｃ）がＬであるときだけである。ＶＴＲ４２の主電源がＯＮであるときの動作、およびＶＴＲ４２の主電源がＯＦＦであり、デコード情報ＤＥＣ（Ｃ）がＨであるときの動作は、上記実施の形態２と同じである。
【００８７】
図１２において、ＶＴＲ４２の主電源がＯＦＦであり、ＴＶ２から入出力切換装置４１に受信映像信号ＴＶｔ（Ｉ）および受信音声信号ＴＶｔ（Ａ）が入力されてないときには、音声信号検知回路４３により検知情報ＤＥＴはＬになる。また、デコーダ４には、スイッチＳＷ２およびＳＷ４が動作しているか否かに関わらず、映像信号ＤＥＣｅ（Ｉ）および音声信号ＤＥＣｅ（Ａ）が入力されないので、デコード情報ＤＥＣ（Ｃ）はＬになる。このとき、制御回路３０は、全ての電源回路１１〜１４の動作を停止させる。従って、電源Ｖｃｃ１〜Ｖｃｃ４は全てＯＦＦとなり、スイッチＳＷ１〜ＳＷ４は全て動作を停止している。これにより、ＴＶ２には、映像信号ＴＶｅ（Ｉ）および音声信号ＴＶｅ（Ａ）は入力されない。
【００８８】
次に、ＶＴＲ４２の主電源がＯＦＦであるときに、ユーザがＴＶ２の主電源をＯＮし、受信映像信号ＴＶｔ（Ｉ）および受信音声信号ＴＶｔ（Ａ）が入出力切換装置４１に入力されるようになると、音声信号検知回路４３は受信音声信号ＴＶｔ（Ａ）が入力されるようになったことを検知し、検知情報ＤＥＴをＬからＨに変化させる。検知情報ＤＥＴがＨになると、制御回路３０は、電源回路１４を立ち上げることにより電源Ｖｃｃ４をＯＮさせ、また制御信号Ｃ＋２によりスイッチＳＷ４を端子ｂ側に制御する。これにより、デコーダ４には、ＴＶ２の受信音声信号ＴＶｔ（Ａ）が音声信号ＤＥＣｅ（Ａ）として入力されるようになる。
【００８９】
デコーダ４に入力されるようになった上記の受信音声信号ＴＶｔ（Ａ）がスクランブル信号でなければ、デコード情報ＤＥＣ（Ｃ）はＬのままであり、スイッチＳＷ１およびＳＷ３は動作を停止したままであるので、ＴＶ２には映像信号ＴＶｅ（Ｉ）および音声信号ＴＶｅ（Ａ）が入力されない。
【００９０】
また、デコーダ４に入力されるようになった上記の受信音声信号ＴＶｔ（Ａ）がスクランブル信号であれば、デコーダ４はデコード情報ＤＥＣ（Ｃ）をＬからＨに変化させる。デコード情報ＤＥＣ（Ｃ）がＨになると、制御回路３０は、電源回路１１〜１３を立ち上げることにより電源Ｖｃｃ１〜Ｖｃｃ３をＯＮさせる。電源Ｖｃｃ４は既にＯＮされているので、電源Ｖｃｃ１〜Ｖｃｃ３のＯＮにより、スイッチＳＷ１〜ＳＷ４は全て動作を開始する。また、制御回路３０は、制御信号Ｃ＋１およびＣ＋２によりスイッチＳＷ１〜ＳＷ４を端子ｂ側に制御する。スイッチＳＷ２およびＳＷ４の動作開始により、スクランブルのかかった受信映像信号ＴＶｔ（Ｉ）が映像信号ＤＥＣｅ（Ｉ）として、またスクランブルのかかった音声信号ＴＶｔ（Ａ）が音声信号ＤＥＣｅ（Ａ）として、それぞれデコーダ４に入力されるようになり、デコーダ４は、スクランブルがかかった映像信号ＤＥＣｅ（Ｉ）および音声信号ＤＥＣｅ（Ａ）をデコードし、デコード映像信号ＤＥＣ（Ｉ）およびデコード音声信号ＤＥＣ（Ａ）を出力する。また、スイッチＳＷ１およびＳＷ３により、ＴＶ２には、デコード映像信号ＤＥＣ（Ｉ）が映像信号ＴＶｅ（Ｉ）として入力され、またデコード音声信号ＤＥＣ（Ａ）が音声信号ＴＶｅ（Ａ）として入力されるようになる。
【００９１】
このように実施の形態８によれば、スイッチＳＷ１〜ＳＷ４にそれぞれ対応する電源回路１１〜１４、およびＴＶ２の受信音声信号ＴＶｔ（Ａ）を検知する音声信号検知回路４３を設け、制御回路３０によりスイッチＳＷ１〜ＳＷ４の電源を個別に制御できる構成とし、ＶＴＲ４２の主電源がＯＦＦであり、検知情報ＤＥＴがＬであるときに、スイッチＳＷ１〜ＳＷ４の電源Ｖｃｃ１〜Ｖｃｃ４を全てＯＦＦさせ、受信音声信号ＴＶｔ（Ａ）が入力されるようになり、音声信号検知回路４３が検知情報ＤＥＴをＨにすると、電源Ｖｃｃ４のみをＯＮさせることにより、デコーダ４がデコーダ入力音声信号ＤＥＣｅ（Ａ）を監視できるようにしている。つまり、ＶＴＲ３の主電源がＯＦＦのときに、ＴＶ受信音声信号ＴＶｔ（Ａ）が入力されているか否か、およびデコーダ入力映像信号ＤＥＣｅ（Ｉ）がスクランブル信号であるか否かに従って、不要なスイッチには電源を供給せず、電源を供給するスイッチを必要最小限に抑えているので、ＶＴＲ３の主電源がＯＦＦのときにも全てのスイッチＳＷ１〜ＳＷ４に常時電源を供給する従来の入出力切換装置よりも消費電力を抑えることができる。
【００９２】
【発明の効果】
以上説明したように、本発明の請求項１記載の入出力切換装置によれば、第１ないし第３の出力切換手段にそれぞれ電源を供給する第１ないし第３の電源手段を設け、制御手段により第１ないし第３の電源手段を個別に制御できる構成としたことにより、状況に応じ、不要な出力切換手段には電源を供給せず、電源を供給する出力切換手段を必要最小限に抑えることができるので、消費電力を低減することができるという効果がある。
【００９３】
請求項２記載の入出力切換装置によれば、第２の映像音声機器の電源のＯＮ／ＯＦＦおよび復調情報に従って第１ないし第３の電源手段を個別に制御することにより、不要な出力切換手段には電源を供給せず、電源を供給する出力切換手段を必要最小限に抑えることができるので、消費電力を低減することができるという効果がある。
【００９４】
請求項３記載の入出力切換装置によれば、第２の映像音声機器の電源がＯＦＦであり、復調情報が入力されていないときに、第１の出力切換手段の電源のみをＯＮし、第２および第３の出力切換手段の電源をＯＦＦするようにしたことにより、電源を供給する出力切換手段を必要最小限に抑えることができるので、消費電力を低減することができるという効果がある。
【００９５】
請求項４記載の入出力切換装置によれば、第２の映像音声機器の電源がＯＦＦであり、復調情報が入力されていないときに、第２の出力切換手段の電源のみをＯＮし、第１および第３の出力切換手段の電源をＯＦＦするようにしたことにより、電源を供給する出力切換手段を必要最小限に抑えることができるので、消費電力を低減することができるという効果がある。
【００９６】
請求項５記載の入出力切換装置によれば、第２の映像音声機器の電源がＯＦＦであり、復調情報が入力されていないときに、第１および第２の出力切換手段の電源をＯＮし、第３の出力切換手段の電源をＯＦＦするようにしたことにより、電源を供給する出力切換手段を必要最小限に抑えることができるので、消費電力を低減することができるという効果がある。
【００９７】
請求項６記載の入出力切換装置によれば、第２の映像音声機器の電源がＯＮであり、復調情報が入力されていないときに、第１の出力切換手段の電源をＯＦＦするようにしたことにより、電源を供給する出力切換手段を必要最小限に抑えることができるので、消費電力を低減することができるという効果がある。
【００９８】
請求項７記載の入出力切換装置によれば、第２の映像音声機器の電源がＯＮであり、復調情報が入力されていないときに、第２の出力切換手段の電源をＯＦＦするようにしたことにより、電源を供給する出力切換手段を必要最小限に抑えることができるので、消費電力を低減することができるという効果がある。
【００９９】
請求項８記載の入出力切換装置によれば、第３の映像音声機器に映像信号を出力するための第１の出力切換手段と、第３の映像音声機器に複数チャンネル用の音声信号を出力するための第２の出力手段と、第１の映像音声機器に映像信号および複数チャンネルの復調音声信号を出力するための第３の出力切換手段とにそれぞれ電源を供給する第１ないし第３の電源手段を設け、制御手段により第１ないし第３の電源手段を個別に制御できる構成としたことにより、複数チャンネルの音声信号の入出力に対応できるとともに、電源を供給する出力切換手段を必要最小限に抑えることができるので、消費電力を低減することができるという効果がある。
【０１００】
請求項９記載の入出力切換装置によれば、第１の映像音声機器から入力される映像信号または音声信号を検知し、信号を検知しているときに検知情報を出力する検知手段を設け、第２の映像音声機器の電源のＯＮ／ＯＦＦ、復調情報、および検知情報に従って、第１ないし第３の電源手段を個別に制御することにより、不要な出力切換手段には電源を供給せず、電源を供給する出力切換手段を必要最小限に抑えることができるので、消費電力を低減することができるという効果がある。
【０１０１】
請求項１０記載の入出力切換装置によれば、第２の映像音声機器の電源がＯＦＦであり、復調情報および映像信号の検知情報が入力されていないときに、第１ないし第３の出力切換手段の電源を全てＯＦＦするようにしたことにより、電源を供給する出力切換手段を必要最小限に抑えることができるので、消費電力を低減することができるという効果がある。
【０１０２】
請求項１１記載の入出力切換装置によれば、第２の映像音声機器の電源がＯＦＦであり、復調情報および音声信号の検知情報が入力されていないときに、第１ないし第３の出力切換手段の電源を全てＯＦＦするようにしたことにより、電源を供給する出力切換手段を必要最小限に抑えることができるので、消費電力を低減することができるという効果がある。
【図面の簡単な説明】
【図１】  本発明の実施の形態１の入出力切換装置の構成図である。
【図２】  本発明の実施の形態１の入出力切換装置の動作説明図である。
【図３】  本発明の実施の形態２の入出力切換装置の動作説明図である。
【図４】  本発明の実施の形態３の入出力切換装置の動作説明図である。
【図５】  本発明の実施の形態４の入出力切換装置の動作説明図である。
【図６】  本発明の実施の形態５の入出力切換装置の動作説明図である。
【図７】  本発明の実施の形態６の入出力切換装置の構成図である。
【図８】  本発明の実施の形態６の入出力切換装置の動作説明図である。
【図９】  本発明の実施の形態７の入出力切換装置の構成図である。
【図１０】  本発明の実施の形態７の入出力切換装置の動作説明図である。
【図１１】  本発明の実施の形態８の入出力切換装置の構成図である。
【図１２】  本発明の実施の形態８の入出力切換装置の動作説明図である。
【図１３】  従来の入出力切換装置の構成図である。
【図１４】  従来の入出力切換装置の動作説明図である。
【符号の説明】
１，２１，３１，４１  入出力切換装置、  ２，２２  テレビジョン受像機（ＴＶ）、  ３，２３，３２，４２  ＶＴＲ、  ４，２４  デコーダ、  ５  ＶＴＲチューナ、  ６  ＴＶチューナ、  １０，３０，４０  制御回路、  １１  電源回路（Ｖｃｃ１）、  １２  電源回路（Ｖｃｃ２）、  １３  電源回路（Ｖｃｃ３）、  １４  電源回路（Ｖｃｃ４）、  ３３  映像信号検知回路、  ４３  音声信号検知回路、  ＳＷ１，ＳＷ２，ＳＷ３，ＳＷ４，ＳＷ３−ａ，ＳＷ３−ｂ，ＳＷ４−ａ，ＳＷ４−ｂ  切換スイッチ、  Ｃ＋１，Ｃ＋２  スイッチ制御信号、  ＤＥＣ（Ｃ）  デコード情報、  ＤＥＣｅ（Ｉ）  デコーダ入力映像信号、  ＤＥＣｅ（Ａ），ＤＥＣｅ（Ａ）−ａ，ＤＥＣｅ（Ａ）−ｂ  デコーダ入力音声信号、  ＤＥＣ（Ｉ）  デコード映像信号、  ＤＥＣ（Ａ），ＤＥＣ（Ａ）−ａ，ＤＥＣ（Ａ）−ｂ  デコード音声信号、  ＶＴＲ（Ｉ）  ＶＴＲ映像信号、  ＶＴＲ（Ａ）  ＶＴＲ音声信号、  ＶＴＲｔ（Ｉ）  ＶＴＲ受信映像信号、  ＶＴＲｔ（Ａ）  ＶＴＲ受信音声信号、  ＴＶｅ（Ｉ）  ＴＶ入力映像信号、  ＴＶｅ（Ａ），ＴＶｅ（Ａ）−ａ，ＴＶｅ（Ａ）−ｂ  ＴＶ入力音声信号、ＴＶｔ（Ｉ）  ＴＶ受信映像信号、  ＴＶｔ（Ａ）  ＴＶ受信音声信号。
【図１】
0003853061.tif 000002
【図２】
0003853061.tif 000003
【図３】
0003853061.tif 000004
【図４】
0003853061.tif 000005
【図５】
0003853061.tif 000006
【図６】
0003853061.tif 000007
【図７】
0003853061.tif 000008
【図８】
0003853061.tif 000009
【図９】
0003853061.tif 000010
【図１０】
0003853061.tif 000011
【図１１】
0003853061.tif 000012
【図１２】
0003853061.tif 000013
【図１３】
0003853061.tif 000014
【図１４】
0003853061.tif 000015